(57)【要約】【課題】予め決められている許容範囲を超えた違算が発生することを防止することができる有価媒体処理装置、有価媒体処理システム、プログラムおよび有価媒体処理方法を提供する。【解決手段】少なくとも有価媒体の入金処理を行う有価媒体処理装置１は、投入されるべき有価媒体の金額に関する金額情報を取得する取得部８３と、識別部１６、５８による有価媒体の識別結果に基づいて、投入された有価媒体の金額情報を判定する判定部８４とを備えている。本体制御部８０は、第１の取引に係る占有状態開始指令を受け付けた後、第１の取引に係る占有状態終了指令を受け付けることなく第２の取引に係る占有状態開始指令を受け付けると、取得部８３により取得した金額情報と、判定部８４により判定した金額情報とが所定の条件を満たすのであれば、第１の取引に係る占有状態を強制的に終了することができるようになっている。【選択図】図１
2019101790.tif 000002
【特許請求の範囲】
【請求項１】
少なくとも有価媒体の入金処理を行う有価媒体処理装置であって、
投入されるべき有価媒体の金額に関する金額情報を取得する取得部と、
有価媒体を投入するための投入部と、
前記投入部により投入された有価媒体を搬送する搬送部と、
前記投入部により投入された有価媒体を識別する識別部と、
前記識別部による有価媒体の識別結果に基づいて、投入された有価媒体の金額情報を判定する判定部と、
前記投入部により投入され、前記識別部により識別された有価媒体を一時的に保留する一時保留部と、
前記一時保留部から送られた有価媒体を収納する収納部と、
ある取引に係る占有状態開始指令を受け付けると、この取引に係る占有状態を開始させ、この取引に係る占有状態では投入された有価媒体を前記一時保留部で一時的に保留し、また、ある取引に係る占有状態が続いているときにこの取引に係る占有状態終了指令を受け付けると、この取引に係る占有状態を終了させるとともに前記一時保留部で一時的に保留された有価媒体を前記収納部に送るよう制御を行う制御部と、
を備え、
前記制御部は、第１の取引に係る占有状態開始指令を受け付けた後、第１の取引に係る占有状態終了指令を受け付けることなく第２の取引に係る占有状態開始指令を受け付けると、前記取得部により取得した金額情報と、前記判定部により判定した金額情報とが所定の条件を満たすのであれば、第１の取引に係る占有状態を強制的に終了することができる、有価媒体処理装置。
【請求項２】
少なくとも有価媒体の入金処理を行う有価媒体処理装置であって、
投入されるべき有価媒体の金額に関する金額情報を取得する取得部と、
有価媒体を投入するための投入部と、
前記投入部により投入された有価媒体を搬送する搬送部と、
前記投入部により投入された有価媒体を識別する識別部と、
前記識別部による有価媒体の識別結果に基づいて、投入された有価媒体の金額情報を判定する判定部と、
ある取引に係る占有状態開始指令を受け付けると、この取引に係る占有状態を開始させ、また、ある取引に係る占有状態が続いているときにこの取引に係る占有状態終了指令を受け付けると、この取引に係る占有状態を終了させるよう制御を行う制御部と、
を備え、
前記制御部は、第１の取引に係る占有状態開始指令を受け付けた後、第１の取引に係る占有状態終了指令を受け付けることなく第２の取引に係る占有状態開始指令を受け付けると、前記取得部により取得した金額情報と、前記判定部により判定した金額情報とが所定の条件を満たすのであれば、第１の取引に係る占有状態を強制的に終了することができる、有価媒体処理装置。
【請求項３】
前記制御部は、第１の取引に係る占有状態開始指令を受け付けた後、第１の取引に係る占有状態終了指令を受け付けることなく第２の取引に係る占有状態開始指令を受け付けると、前記取得部により取得した金額情報と、前記判定部により判定した金額情報とが所定の条件を満たさないのであれば、前記投入部により有価媒体を投入できないよう制御を行う、請求項１または２記載の有価媒体処理装置。
【請求項４】
外部装置に情報を送信するための送信部を更に備え、
前記制御部は、第１の取引に係る占有状態開始指令を受け付けた後、第１の取引に係る占有状態終了指令を受け付けることなく第２の取引に係る占有状態開始指令を受け付けると、前記取得部により取得した金額情報と、前記判定部により判定した金額情報とが所定の条件を満たさないのであれば、前記送信部により、前記取得部により取得した金額情報と、前記判定部により判定した金額情報とが所定の条件を満たさない旨の情報を前記外部装置に送信する、請求項１乃至３のいずれか一項に記載の有価媒体処理装置。
【請求項５】
外部装置に情報を送信するための送信部を更に備え、
前記制御部は、第１の取引に係る占有状態開始指令を受け付けた後、第１の取引に係る占有状態終了指令を受け付けることなく第２の取引に係る占有状態開始指令を受け付けると、前記取得部により取得した金額情報と、前記判定部により判定した金額情報とが所定の条件を満たさないのであれば、前記送信部により、前記取得部により取得した金額情報および前記判定部により判定した金額情報のうち少なくとも１つを前記外部装置に送信するよう制御を行う、請求項１乃至４のいずれか一項に記載の有価媒体処理装置。
【請求項６】
前記投入部は、有価媒体を収納しているカセットが装着された状態において、当該カセットに収納されている有価媒体を繰り出すことにより前記有価媒体処理装置に投入するカセット装着部であって、
前記取得部は、前記カセットから前記有価媒体処理装置に投入されるべき有価媒体の金額に関する金額情報を取得する、請求項１乃至５のいずれか一項に記載の有価媒体処理装置。
【請求項７】
金額情報の入力を受け付けるための操作部を更に備え、
前記取得部は、投入されるべき有価媒体の金額に関する金額情報として、前記操作部により受け付けられた金額情報を取得する、請求項１乃至５のいずれか一項に記載の有価媒体処理装置。
【請求項８】
前記所定の条件とは、前記取得部により取得した金額情報と、前記判定部により判定した金額情報との差が、予め設定された範囲内であることである、請求項１乃至７のいずれか一項に記載の有価媒体処理装置。
【請求項９】
少なくとも有価媒体の入金処理を行う有価媒体処理装置および前記有価媒体処理装置の管理を行う管理装置を備えた有価媒体処理システムであって、
前記有価媒体処理装置に投入されるべき有価媒体の金額に関する金額情報を取得する取得部、および前記有価媒体処理装置に投入された有価媒体の金額情報を判定する判定部がそれぞれ設けられており、
前記管理装置は、ある取引に係る占有状態開始指令を受け付けると、前記有価媒体処理装置においてこの取引に係る占有状態を開始させ、また、ある取引に係る占有状態が続いているときにこの取引に係る占有状態終了指令を受け付けると、前記有価媒体処理装置においてこの取引に係る占有状態を終了させるよう制御を行う制御部を有しており、
前記制御部は、第１の取引に係る占有状態開始指令を受け付けた後、第１の取引に係る占有状態終了指令を受け付けることなく第２の取引に係る占有状態開始指令を受け付けると、前記取得部により取得した金額情報と、前記判定部により判定した金額情報とが所定の条件を満たすのであれば、前記有価媒体処理装置において第１の取引に係る占有状態を強制的に終了することができる、有価媒体処理システム。
【請求項１０】
少なくとも有価媒体の入金処理を行う有価媒体処理装置を備えた有価媒体処理システムのコンピュータにより実行することが可能なプログラムであって、当該プログラムを実行することにより、前記コンピュータが前記有価媒体処理装置を制御して有価媒体処理方法を実行させるものにおいて、
前記有価媒体処理方法が、
ある取引に係る占有状態開始指令を受け付けると、前記有価媒体処理装置においてこの取引に係る占有状態を開始させる工程と、
前記有価媒体処理装置に投入されるべき有価媒体の金額に関する金額情報を取得部により取得する工程と、
前記有価媒体処理装置に投入された有価媒体の金額情報を判定部により判定する工程と、
前記有価媒体処理装置においてある取引に係る占有状態が続いているときにこの取引に係る占有状態終了指令を受け付けると、前記有価媒体処理装置においてこの取引に係る占有状態を終了させる工程と、
を備え、
前記有価媒体処理方法において、第１の取引に係る占有状態開始指令を受け付けた後、第１の取引に係る占有状態終了指令を受け付けることなく第２の取引に係る占有状態開始指令を受け付けると、前記取得部により取得した金額情報と、前記判定部により判定した金額情報とが所定の条件を満たすのであれば、第１の取引に係る占有状態を強制的に終了する、プログラム。
【請求項１１】
少なくとも有価媒体の入金処理を行う有価媒体処理装置による有価媒体処理方法であって、
ある取引に係る占有状態開始指令を受け付けると、前記有価媒体処理装置においてこの取引に係る占有状態を開始させる工程と、
前記有価媒体処理装置に投入されるべき有価媒体の金額に関する金額情報を取得部により取得する工程と、
前記有価媒体処理装置に投入された有価媒体の金額情報を判定部により判定する工程と、
前記有価媒体処理装置においてある取引に係る占有状態が続いているときにこの取引に係る占有状態終了指令を受け付けると、前記有価媒体処理装置においてこの取引に係る占有状態を終了させる工程と、
を備え、
第１の取引に係る占有状態開始指令を受け付けた後、第１の取引に係る占有状態終了指令を受け付けることなく第２の取引に係る占有状態開始指令を受け付けると、前記取得部により取得した金額情報と、前記判定部により判定した金額情報とが所定の条件を満たすのであれば、第１の取引に係る占有状態を強制的に終了する、有価媒体処理方法。
【発明の詳細な説明】
【技術分野】
【０００１】
本発明は、少なくとも有価媒体の入金処理を行う有価媒体処理装置、有価媒体処理システム、プログラムおよび有価媒体処理方法に関する。
【背景技術】
【０００２】
スーパーマーケットやショッピングモール等の商業施設において、売上金としての有価媒体の入金処理を行う有価媒体処理装置が、例えば、出納室に設置されている。このような有価媒体処理装置が設置されている商業施設では、営業時間が終了した後に、レジカウンターに設けられた各釣銭機から回収された有価媒体や、ショッピングモールの各テナントから回収された有価媒体を有価媒体処理装置に入金することにより、商業施設の店員等が売上金としての有価媒体を銀行等の金融機関に持ち運ぶ必要がなくなるため防盗性を高めることができる。有価媒体処理装置に入金された売上金としての有価媒体は、例えば、当該有価媒体が貨幣である場合、警送会社の警備員等によって当該貨幣処理装置の筐体内から収納カセットごと回収され、当該警送会社の管理本部に運搬された後、警送会社により売上金としての貨幣がまとめて銀行等の金融機関に入金されるようになる。
【０００３】
このような有価媒体処理装置としては、例えば特許文献１等に開示される貨幣処理装置が知られている。特許文献１に開示される貨幣処理装置において、レジカウンターに設けられた各釣銭機から回収された貨幣や、ショッピングモールの各テナントから回収された貨幣の入金処理を行うにあたり、操作者はまず自己が携帯するＩＤカードのＩＤ情報をカードリーダにより読み取らせる。ここで、貨幣処理装置の記憶部には、ＩＤカードのＩＤ情報と取引先識別情報（具体的には、店舗のレジやテナントの識別情報）とが１対１で関連付けられて記憶されているため、ＩＤカードのＩＤ情報が読み取られると、このＩＤ情報に関連付けられた取引先識別情報が特定される。そして、当該貨幣処理装置において当該操作者により入金処理が行われると、入金処理の結果に係る情報（具体的には、入金された貨幣の金種毎の枚数や合計金額に係る情報）が取引先識別情報に関連付けられて管理されるようになる。
【０００４】
特許文献１等に開示される貨幣処理装置にあるような、従来の有価媒体処理装置では、ある操作者により有価媒体処理装置の筐体内に投入された有価媒体は、識別部により識別された後、入金処理の結果に係る情報を操作者に通知する。その後、当該操作者により入金確定の指令がタッチパネル等の操作部により入力されると、入金処理が確定する。このように、従来の有価媒体処理装置では、操作者がＩＤカードのＩＤ情報をカードリーダにより読み取らせると、この操作者に係る取引の占有状態が開始し、一方、有価媒体処理装置の筐体内に投入された有価媒体について当該操作者によって入金確定の指令が入力されるとこの操作者に係る取引の占有状態が終了する。
【先行技術文献】
【特許文献】
【０００５】
【特許文献１】特開２０１０−２２４６０９号公報
【発明の概要】
【発明が解決しようとする課題】
【０００６】
しかしながら、このような従来の有価媒体処理装置において、操作者が入金確定の指令を入力し忘れて帰ってしまった場合には、当該操作者は有価媒体処理装置から離れているにもかかわらず、当該有価媒体処理装置においてこの操作者の占有状態が継続されてしまう。この場合、別の操作者がＩＤカードのＩＤ情報をカードリーダにより読み取らせると、前の操作者の占有状態が継続していることにより有価媒体処理装置から警告音が発せられるが、この警告音に気づかずに有価媒体処理装置の投入部に有価媒体を投入してしまった場合には当該有価媒体は前の操作者の追加入金として取り扱われるようになってしまう。このときには、前の操作者の入金金額について、予め決められている許容範囲を超えた違算が発生してしまうという問題があった。
【０００７】
本発明は、このような点を考慮してなされたものであり、予め決められている許容範囲を超えた違算が発生することを防止することができる有価媒体処理装置、有価媒体処理システム、プログラムおよび有価媒体処理方法を提供することを目的とする。
【課題を解決するための手段】
【０００８】
本発明の有価媒体処理装置は、少なくとも有価媒体の入金処理を行う有価媒体処理装置であって、投入されるべき有価媒体の金額に関する金額情報を取得する取得部と、有価媒体を投入するための投入部と、前記投入部により投入された有価媒体を搬送する搬送部と、前記投入部により投入された有価媒体を識別する識別部と、前記識別部による有価媒体の識別結果に基づいて、投入された有価媒体の金額情報を判定する判定部と、前記投入部により投入され、前記識別部により識別された有価媒体を一時的に保留する一時保留部と、前記一時保留部から送られた有価媒体を収納する収納部と、ある取引に係る占有状態開始指令を受け付けると、この取引に係る占有状態を開始させ、この取引に係る占有状態では投入された有価媒体を前記一時保留部で一時的に保留し、また、ある取引に係る占有状態が続いているときにこの取引に係る占有状態終了指令を受け付けると、この取引に係る占有状態を終了させるとともに前記一時保留部で一時的に保留された有価媒体を前記収納部に送るよう制御を行う制御部と、を備え、前記制御部は、第１の取引に係る占有状態開始指令を受け付けた後、第１の取引に係る占有状態終了指令を受け付けることなく第２の取引に係る占有状態開始指令を受け付けると、前記取得部により取得した金額情報と、前記判定部により判定した金額情報とが所定の条件を満たすのであれば、第１の取引に係る占有状態を強制的に終了することができることを特徴とする。
【０００９】
上記の有価媒体処理装置によれば、第１の取引に係る占有状態終了指令を受け付けなくてもこの第１の取引に係る占有状態を強制的に終了させることができるため、第１の取引に係る占有状態が強制的に終了した後では第２の取引に係る入金する有価媒体が第１の取引の追加入金として取り扱われることがなく、予め決められている許容範囲を超えた違算が発生することを防止することができる。
【００１０】
本発明の有価媒体処理装置は、少なくとも有価媒体の入金処理を行う有価媒体処理装置であって、投入されるべき有価媒体の金額に関する金額情報を取得する取得部と、有価媒体を投入するための投入部と、前記投入部により投入された有価媒体を搬送する搬送部と、前記投入部により投入された有価媒体を識別する識別部と、前記識別部による有価媒体の識別結果に基づいて、投入された有価媒体の金額情報を判定する判定部と、ある取引に係る占有状態開始指令を受け付けると、この取引に係る占有状態を開始させ、また、ある取引に係る占有状態が続いているときにこの取引に係る占有状態終了指令を受け付けると、この取引に係る占有状態を終了させるよう制御を行う制御部と、を備え、前記制御部は、第１の取引に係る占有状態開始指令を受け付けた後、第１の取引に係る占有状態終了指令を受け付けることなく第２の取引に係る占有状態開始指令を受け付けると、前記取得部により取得した金額情報と、前記判定部により判定した金額情報とが所定の条件を満たすのであれば、第１の取引に係る占有状態を強制的に終了することができることを特徴とする。
【００１１】
上記の有価媒体処理装置によれば、第１の取引に係る占有状態終了指令を受け付けなくてもこの第１の取引に係る占有状態を強制的に終了させることができるため、第１の取引に係る占有状態が強制的に終了した後では第２の取引に係る入金する有価媒体が第１の取引の追加入金として取り扱われることがなく、予め決められている許容範囲を超えた違算が発生することを防止することができる。
【００１２】
本発明の有価媒体処理装置においては、前記制御部は、第１の取引に係る占有状態開始指令を受け付けた後、第１の取引に係る占有状態終了指令を受け付けることなく第２の取引に係る占有状態開始指令を受け付けると、前記取得部により取得した金額情報と、前記判定部により判定した金額情報とが所定の条件を満たさないのであれば、前記投入部により有価媒体を投入できないよう制御を行うようになっていてもよい。
【００１３】
本発明の有価媒体処理装置は、外部装置に情報を送信するための送信部を更に備え、前記制御部は、第１の取引に係る占有状態開始指令を受け付けた後、第１の取引に係る占有状態終了指令を受け付けることなく第２の取引に係る占有状態開始指令を受け付けると、前記取得部により取得した金額情報と、前記判定部により判定した金額情報とが所定の条件を満たさないのであれば、前記送信部により、前記取得部により取得した金額情報と、前記判定部により判定した金額情報とが所定の条件を満たさない旨の情報を前記外部装置に送信するようになっていてもよい。
【００１４】
また、本発明の有価媒体処理装置は、外部装置に情報を送信するための送信部を更に備え、前記制御部は、第１の取引に係る占有状態開始指令を受け付けた後、第１の取引に係る占有状態終了指令を受け付けることなく第２の取引に係る占有状態開始指令を受け付けると、前記取得部により取得した金額情報と、前記判定部により判定した金額情報とが所定の条件を満たさないのであれば、前記送信部により、前記取得部により取得した金額情報および前記判定部により判定した金額情報のうち少なくとも１つを前記外部装置に送信するよう制御を行うようになっていてもよい。
【００１５】
また、前記投入部は、有価媒体を収納しているカセットが装着された状態において、当該カセットに収納されている有価媒体を繰り出すことにより前記有価媒体処理装置に投入するカセット装着部であって、前記取得部は、前記カセットから前記有価媒体処理装置に投入されるべき有価媒体の金額に関する金額情報を取得するようになっていてもよい。
【００１６】
本発明の有価媒体処理装置は、金額情報の入力を受け付けるための操作部を更に備え、前記取得部は、投入されるべき有価媒体の金額に関する金額情報として、前記操作部により受け付けられた金額情報を取得するようになっていてもよい。
【００１７】
本発明の有価媒体処理装置においては、前記所定の条件とは、前記取得部により取得した金額情報と、前記判定部により判定した金額情報との差が、予め設定された範囲内であることであってもよい。
【００１８】
本発明の有価媒体処理システムは、少なくとも有価媒体の入金処理を行う有価媒体処理装置および前記有価媒体処理装置の管理を行う管理装置を備えた有価媒体処理システムであって、前記有価媒体処理装置に投入されるべき有価媒体の金額に関する金額情報を取得する取得部、および前記有価媒体処理装置に投入された有価媒体の金額情報を判定する判定部がそれぞれ設けられており、前記管理装置は、ある取引に係る占有状態開始指令を受け付けると、前記有価媒体処理装置においてこの取引に係る占有状態を開始させ、また、ある取引に係る占有状態が続いているときにこの取引に係る占有状態終了指令を受け付けると、前記有価媒体処理装置においてこの取引に係る占有状態を終了させるよう制御を行う制御部を有しており、前記制御部は、第１の取引に係る占有状態開始指令を受け付けた後、第１の取引に係る占有状態終了指令を受け付けることなく第２の取引に係る占有状態開始指令を受け付けると、前記取得部により取得した金額情報と、前記判定部により判定した金額情報とが所定の条件を満たすのであれば、前記有価媒体処理装置において第１の取引に係る占有状態を強制的に終了することができることを特徴とする。
【００１９】
本発明のプログラムは、少なくとも有価媒体の入金処理を行う有価媒体処理装置を備えた有価媒体処理システムのコンピュータにより実行することが可能なプログラムであって、当該プログラムを実行することにより、前記コンピュータが前記有価媒体処理装置を制御して有価媒体処理方法を実行させるものにおいて、前記有価媒体処理方法が、ある取引に係る占有状態開始指令を受け付けると、前記有価媒体処理装置においてこの取引に係る占有状態を開始させる工程と、前記有価媒体処理装置に投入されるべき有価媒体の金額に関する金額情報を取得部により取得する工程と、前記有価媒体処理装置に投入された有価媒体の金額情報を判定部により判定する工程と、前記有価媒体処理装置においてある取引に係る占有状態が続いているときにこの取引に係る占有状態終了指令を受け付けると、前記有価媒体処理装置においてこの取引に係る占有状態を終了させる工程と、を備え、前記有価媒体処理方法において、第１の取引に係る占有状態開始指令を受け付けた後、第１の取引に係る占有状態終了指令を受け付けることなく第２の取引に係る占有状態開始指令を受け付けると、前記取得部により取得した金額情報と、前記判定部により判定した金額情報とが所定の条件を満たすのであれば、第１の取引に係る占有状態を強制的に終了することを特徴とする。
【００２０】
本発明の有価媒体処理方法は、少なくとも有価媒体の入金処理を行う有価媒体処理装置による有価媒体処理方法であって、ある取引に係る占有状態開始指令を受け付けると、前記有価媒体処理装置においてこの取引に係る占有状態を開始させる工程と、前記有価媒体処理装置に投入されるべき有価媒体の金額に関する金額情報を取得部により取得する工程と、前記有価媒体処理装置に投入された有価媒体の金額情報を判定部により判定する工程と、前記有価媒体処理装置においてある取引に係る占有状態が続いているときにこの取引に係る占有状態終了指令を受け付けると、前記有価媒体処理装置においてこの取引に係る占有状態を終了させる工程と、を備え、第１の取引に係る占有状態開始指令を受け付けた後、第１の取引に係る占有状態終了指令を受け付けることなく第２の取引に係る占有状態開始指令を受け付けると、前記取得部により取得した金額情報と、前記判定部により判定した金額情報とが所定の条件を満たすのであれば、第１の取引に係る占有状態を強制的に終了することを特徴とする。
【００２１】
上記の有価媒体処理システム、プログラムおよび有価媒体処理方法によれば、第１の取引に係る占有状態終了指令を受け付けなくてもこの第１の取引に係る占有状態を強制的に終了させることができるため、第１の取引に係る占有状態が強制的に終了した後では第２の取引に係る入金する有価媒体が第１の取引の追加入金として取り扱われることがなく、予め決められている許容範囲を超えた違算が発生することを防止することができる。
【発明の効果】
【００２２】
本発明の有価媒体処理装置、有価媒体処理システム、プログラムおよび有価媒体処理方法によれば、予め決められている許容範囲を超えた違算が発生することを防止することができる。
【図面の簡単な説明】
【００２３】
【図１】本発明の実施の形態による有価媒体処理装置の外観を示す斜視図である。
【図２】図１に示す有価媒体処理装置における硬貨入金装置の内部を側方から見たときの構成を示す側面図である。
【図３】図１に示す有価媒体処理装置における紙幣入金装置の内部を側方から見たときの構成を示す側面図である。
【図４】図１等に示す有価媒体処理装置における制御系の構成を示す機能ブロック図である。
【図５】図１等に示す有価媒体処理装置において、第１の操作者が第１の取引（具体的には、有価媒体の入金処理）を行った後に第２の操作者が第２の取引（具体的には、有価媒体の入金処理）を行うときの動作の流れを示すフローチャートである。
【図６】図１等に示す有価媒体処理装置において、第１の操作者が第１の取引を確定させる前に第２の操作者が第２の取引を行おうとしたときの動作の流れの一例を示すフローチャートである。
【図７】本発明の実施の形態による他の例に係る有価媒体処理装置の内部構成を概略的に示す構成図である。
【図８】図７に示す有価媒体処理装置における制御系の構成を示す機能ブロック図である。
【図９】図１や図７に示す有価媒体処理装置と当該有価媒体処理装置の管理を行う管理装置とから構成される有価媒体処理システムを概略的に示す構成図である。
【発明を実施するための形態】
【００２４】
以下、図面を参照して本発明の実施の形態について説明する。図１乃至図６は、本実施の形態に係る有価媒体処理装置およびこのような有価媒体処理装置による有価媒体処理方法を示す図である。
【００２５】
本実施の形態による有価媒体処理装置１は、スーパーマーケットやショッピングモール等の商業施設における、例えば、出納室に設置されており、当該有価媒体処理装置１は、売上金としての有価媒体（具体的には、紙幣、商品券、硬貨等）の入金処理を行うようになっている。図１に示すように、本実施の形態による有価媒体処理装置１は略直方体形状の筐体１ａを有している。また、有価媒体処理装置１は、筐体１ａを手前側から見て左側部分に設けられた、硬貨の入金処理や計数処理を行う硬貨入金装置１０と、筐体１ａを手前側から見て右側部分に設けられた、紙幣の入金処理や計数処理を行う紙幣入金装置５０とから構成されている。なお、紙幣入金装置５０は、紙幣のみならず商品券や小切手等の紙幣以外の紙葉類の入金処理や計数処理も行うことができるようになっている。以下の説明では紙幣入金装置５０が紙幣の入金処理や計数処理を行う態様について述べるが、紙幣入金装置５０が商品券や小切手等の紙幣以外の紙葉類の入金処理や計数処理も行う場合にも同様の動作が行われるようになっている。
【００２６】
まず、本実施の形態の有価媒体処理装置１における硬貨入金装置１０の構成について図２を用いて説明する。上述したように、図２は、硬貨入金装置１０の内部を側方から見たときの構成を示す側面図である。図２に示すように、硬貨入金装置１０は、筐体１ａの外部から内部に硬貨を投入するための投入部１２と、投入部１２により筐体１ａの内部に投入された硬貨を搬送するための搬送部１４と、搬送部１４により搬送される硬貨の金種、真偽、正損、搬送状態等の識別を行う識別部１６とを備えている。
【００２７】
投入部１２には、水平状態となるよう配置された円盤形状の回転盤（図示せず）が設けられており、当該回転盤が回転することにより、筐体１ａの外部から投入されこの回転盤の上に載置された硬貨が１枚ずつ当該回転盤から搬送部１４に繰り出されるようになっている。投入部１２には、筐体１ａの外部から当該投入部１２に投入された硬貨を検知するための投入硬貨検知センサ（図示せず）が設けられている。また、図１に示すように、筐体１ａの上面には硬貨の投入口の開閉を行うシャッタ１２ａが設けられており、当該シャッタ１２ａが開かれたときに操作者は筐体１ａの外部から投入部１２に硬貨を投入することができるようになっている。このようなシャッタ１２ａは操作者が手動で開閉を行うことができるようになっている。
【００２８】
図２に示すように、搬送部１４には、識別部１６による硬貨の識別結果に基づいて硬貨の振り分けを行う振分機構１８が設けられている。具体的には、振分機構１８は、識別部１６により正常な硬貨であると識別された硬貨を当該搬送部１４から分岐させて後述する一時保留部２６に送るようになっている。より詳細に説明すると、搬送部１４において硬貨が搬送される搬送面において振分機構１８の近傍には開口が設けられている。そして、振分機構１８が搬送部１４における硬貨の搬送面から上方に突出した突出位置に移動すると、搬送部１４により搬送される硬貨が当該開口を介して搬送部１４から下方に落下して後述する一時保留部２６に送られるようになる。また、搬送部１４の下流側端部の近傍には開口（図示せず）が設けられており、振分機構１８により搬送部１４から分岐されなかった硬貨、すなわち識別部１６により正常な硬貨ではないと識別された硬貨や識別部１６により識別することができなかった硬貨がリジェクト硬貨として当該開口から下方に落下し、リジェクト用シュート２４を通って後述するリジェクト部２８に送られるようになっている。
【００２９】
図２に示すように、硬貨入金装置１０において搬送部１４の下方には一時保留部２６およびリジェクト部２８がそれぞれ設けられている。ここで、一時保留部２６は、硬貨入金装置１０の奥行き方向（すなわち、図２における左右方向）において移動可能となっており、図２において実線や二点鎖線で示される３箇所の位置に移動することができるようになっている。また、一時保留部２６は、その頂部および底部に開口が設けられた略直方体形状の枠体を有している。また、図２における中央位置にある一時保留部２６と、搬送部１４における硬貨の搬送面において振分機構１８の近傍に設けられた開口との間には一時保留用シュート２２が設けられており、振分機構１８により振り分けられた硬貨は一時保留用シュート２２を通って一時保留部２６に送られるようになっている。
【００３０】
図１に示すように、リジェクト部２８は有価媒体処理装置１の筐体１ａの前面側から操作者がアクセスすることができるようになっており、このリジェクト部２８にリジェクト硬貨が送られると、操作者はリジェクト部２８からリジェクト硬貨を取り出すことができるようになっている。
【００３１】
また、硬貨入金装置１０の奥行き方向において手前側に位置する一時保留部２６（すなわち、図２において左側に位置する一時保留部２６）の下方には硬貨返却箱３０が設けられており、一時保留部２６が図２における中央の位置から左側の位置に移動すると、当該一時保留部２６に一時的に保留されている硬貨がこの一時保留部２６から自重により落下して硬貨返却箱３０に送られるようになっている。このような硬貨返却箱３０は筐体１ａから手前側に引き出し可能となっている。具体的には、硬貨返却箱３０を筐体１ａの内部にロックするためのロック部３１（図４参照）が設けられており、当該ロック部３１によるロック状態が解除されると、硬貨返却箱３０を筐体１ａから手前側に引き出すことができるようになる。また、図１に示すように、硬貨返却箱３０の前面には、操作者が把持するための把持部分３０ａが設けられており、ロック部３１によるロック状態が解除された後、操作者が把持部分３０ａを把持して硬貨返却箱３０を筐体１ａから手前側に引き出すことにより、硬貨返却箱３０に収納されている硬貨を筐体１ａの外部に返却することができるようになる。
【００３２】
また、硬貨入金装置１０の内部における下部領域には硬貨収納カセット４０が収容されており、硬貨入金装置１０の奥行き方向において奥側に位置する一時保留部２６（すなわち、図２において右側に位置する一時保留部２６）と、硬貨収納カセット４０との間には収納用シュート３２が設けられている。このことにより、一時保留部２６が図２における中央の位置から右側の位置に移動すると、当該一時保留部２６に一時的に保留されている硬貨がこの一時保留部２６から自重により落下して、収納用シュート３２を介して硬貨収納カセット４０に送られ、当該硬貨収納カセット４０に収納されるようになる。なお、硬貨収納カセット４０は筐体１ａの外部に取り出すことができるようになっている。具体的には、図１に示すように有価媒体処理装置１の筐体１ａの前面における下部領域には、警送会社の警備員等の所定の権限を有する者しか開くことができない扉１ｂが設けられており、この扉１ｂを開くことにより硬貨収納カセット４０を筐体１ａの外部に取り出すことができるようになる。警送会社の警備員等により筐体１ａの外部に取り出された硬貨収納カセット４０は、警送会社の管理本部や現金処理センターに運搬され、硬貨収納カセット４０から取り出された硬貨がこの管理本部で管理されるようになる。
【００３３】
次に、本実施の形態の有価媒体処理装置１における紙幣入金装置５０の構成について図３を用いて説明する。上述したように、図３は、紙幣入金装置５０の内部を側方から見たときの構成を示す側面図である。図３に示すように、紙幣入金装置５０は、筐体１ａの外部から紙幣が束状態で投入される投入部５２と、投入部５２に投入された紙幣を１枚ずつ筐体１ａの内部に繰り出すための繰出機構５４と、繰出機構５４により筐体１ａの内部に繰り出された紙幣を搬送するための搬送部５６と、搬送部５６により搬送される紙幣の金種、真偽、正損、搬送状態等の識別を行う識別部５８とを備えている。また、図１に示すように、筐体１ａの上面には紙幣の投入口の開閉を行うシャッタ５２ａが設けられており、当該シャッタ５２ａが開かれたときに操作者は筐体１ａの外部から投入部５２に紙幣の束を投入することができるようになっている。このようなシャッタ５２ａは操作者が手動で開閉を行うことができるようになっている。また、投入部５２には、筐体１ａの外部から当該投入部５２に投入された紙幣を検知するための投入紙幣検知センサ（図示せず）が設けられている。
【００３４】
また、搬送部５６における識別部５８よりも下流側の箇所には、識別部５８により識別された紙幣をリジェクト部６２および一時保留部６４のうちいずれか一方に振り分ける分岐部６０が設けられている。具体的には、分岐部６０において、識別部５８により正常な紙幣であると識別された紙幣は一時保留部６４に送られるよう振り分けられ、一方、識別部５８により正常な紙幣ではないと識別された紙幣や識別部５８により識別することができなかった紙幣はリジェクト紙幣としてリジェクト部６２に送られるよう振り分けられるようになっている。
【００３５】
図１に示すように、リジェクト部６２は有価媒体処理装置１の筐体１ａの前面側から操作者がアクセスすることができるようになっており、このリジェクト部６２にリジェクト紙幣が送られると、操作者はリジェクト部６２からリジェクト紙幣を取り出すことができるようになっている。
【００３６】
また、図３に示すように、紙幣入金装置５０の内部における下部領域において一時保留部６４の真下の位置には紙幣収納カセット７０が収容されている。そして、一時保留部６４に紙幣が一時的に保留された後、入金確定の指令が有価媒体処理装置１の本体制御部８０（後述）に与えられると、一時保留部６４から紙幣収納カセット７０に紙幣が一括して送られ、この紙幣収納カセット７０に収納されるようになっている。なお、紙幣収納カセット７０は筐体１ａの外部に取り出すことができるようになっている。具体的には、上述したように、有価媒体処理装置１の筐体１ａの前面における下部領域には扉１ｂが設けられており、この扉１ｂを開くことにより紙幣収納カセット７０を筐体１ａの外部に取り出すことができるようになる。警送会社の警備員等により筐体１ａの外部に取り出された紙幣収納カセット７０は、警送会社の管理本部や現金処理センターに運搬され、紙幣収納カセット７０から取り出された紙幣がこの管理本部で管理されるようになる。
【００３７】
また、図１に示すように、有価媒体処理装置１の筐体１ａの前面における一時保留部６４の手前側の位置には扉１ｃが設けられているとともに、当該扉１ｃを閉状態にロックするための扉ロック部６５（図４参照）が設けられている。そして、当該扉ロック部６５による扉１ｃのロック状態が解除されると、操作者は扉１ｃを手前右側に開いて一時保留部６４の内部にアクセスすることができるようになる。このようにして、一時保留部６４に紙幣が一時的に保留された後、返却の指令が有価媒体処理装置１の本体制御部８０（後述）に与えられると、扉ロック部６５による扉１ｃのロック状態が解除され、操作者は扉１ｃを開くことにより一時保留部６４の内部から紙幣を取り出すことができるようになり、よって筐体１ａの外部に紙幣が返却されるようになる。そして、操作者が手動で扉１ｃを閉じると、扉ロック部６５により扉１ｃが再び閉状態にロックされるようになる。なお、一時保留部６４に一時的に保留された紙幣を紙幣収納カセット７０に収納させる際には、扉ロック部６５による扉１ｃの閉状態のロックが維持されたままとなる。
【００３８】
次に、本実施の形態による有価媒体処理装置１における制御系の構成について図４を用いて説明する。図４に示すように、本実施の形態による有価媒体処理装置１には、当該有価媒体処理装置１の各構成部材の制御を行う本体制御部８０が設けられている。また、硬貨入金装置１０には当該硬貨入金装置１０の各構成部材（具体的には、投入部１２、搬送部１４、識別部１６、振分機構１８、一時保留部２６、ロック部３１等）に接続された硬貨制御部８１が設けられており、当該硬貨制御部８１により硬貨入金装置１０の各構成部材が制御されるようになっている。また、紙幣入金装置５０には当該紙幣入金装置５０の各構成部材（具体的には、繰出機構５４、搬送部５６、識別部５８、分岐部６０、一時保留部６４、扉ロック部６５等）に接続された紙幣制御部８２が設けられており、当該紙幣制御部８２により紙幣入金装置５０の各構成部材が制御されるようになっている。図４に示すように、硬貨入金装置１０に設けられた硬貨制御部８１や紙幣入金装置５０に設けられた紙幣制御部８２はそれぞれ本体制御部８０に通信可能に接続されている。
【００３９】
また、図１に示すように、有価媒体処理装置１の筐体１ａの上面には、プリンタ等の印字部８５、タッチパネル等の２つの操作表示部８６、８８および操作者が携帯するＩＤカード等の記録媒体９２に記憶された情報（具体的には、ＩＤカードのＩＤ情報等）を読み取るための磁気カードリーダ等の読取部９０がそれぞれ設けられており、これらの印字部８５、操作表示部８６、８８、読取部９０はそれぞれ本体制御部８０に通信可能に接続されている。印字部８５は、有価媒体処理装置１における貨幣の入金処理や計数処理の結果に係る情報や、硬貨収納カセット４０や紙幣収納カセット７０に収納されている硬貨や紙幣の金種毎の枚数や合計金額に係る情報をレシートに印字するようになっている。また、操作表示部８６、８８には、有価媒体処理装置１における貨幣の入金処理や計数処理の結果に係る情報や、硬貨収納カセット４０や紙幣収納カセット７０に収納されている硬貨や紙幣の金種毎の枚数や合計金額に係る情報が表示されるようになっている。また、操作者は、操作表示部８６、８８を操作することにより本体制御部８０に様々な指示を与えることができるようになっている。また、操作者が携帯するＩＤカード等の記録媒体９２には、ＩＤカードのＩＤ情報等の様々な情報を記憶する記憶部９２ａが設けられており、この記録媒体９２を磁気カードリーダ等の読取部９０に通すと、当該記憶部９２ａに記憶された情報が読取部９０により読み取られるようになっている。具体的には、操作者が記録媒体９２を読取部９０に通すことにより、当該操作者の権限を認証することができるようになり、所定の権限を有する操作者のみが有価媒体処理装置１において貨幣の入金処理や計数処理、回収処理を行うことができるようになる。
【００４０】
また、図４に示すように、本体制御部８０には、投入されるべき有価媒体の金額に関する金額情報を取得する取得部８３、および硬貨入金装置１０の識別部１６や紙幣入金装置５０の識別部５８による有価媒体の識別結果に基づいて、硬貨入金装置１０や紙幣入金装置５０に投入された有価媒体の金額情報を判定する判定部８４がそれぞれ設けられている。具体的には、有価媒体処理装置１において有価媒体の入金処理が行われる際に、操作者によって操作表示部８６、８８により有価媒体の入金金額が入力されると、取得部８３は、投入されるべき有価媒体の金額に関する金額情報として、操作表示部８６、８８により受け付けられた金額情報を取得するようになる。このような取得部８３および判定部８４の機能の詳細については後述する。
【００４１】
また、図４に示すように、本体制御部８０には記憶部９４が通信可能に接続されている。このような記憶部９４は有価媒体処理装置１の筐体１ａの内部に設けられており、当該記憶部９４には、有価媒体処理装置１における貨幣の入金処理や計数処理の結果に係る情報や、硬貨収納カセット４０や紙幣収納カセット７０に収納されている硬貨や紙幣の金種毎の枚数や合計金額に係る情報が記憶されるようになっている。
【００４２】
また、本体制御部８０には通信部９８が通信可能に接続されており、本体制御部８０は、この通信部９８により、有価媒体処理装置１の外部に設けられた上位サーバ等の外部装置と信号の送受信を行うことができるようになっている。なお、外部装置は、上位サーバに限定されることはなく、商業施設のテナントに設置されるパーソナルコンピュータや管理者の移動通信媒体、操作者の移動通信媒体等であってもよい。
【００４３】
また、本体制御部８０には、有価媒体処理装置１で実行される各種処理を本体制御部８０による制御にて実現するためのプログラム９７が記憶された記憶媒体９６が接続されている。このような記憶媒体９６はＲＯＭやＲＡＭなどのメモリー、フラッシュメモリ、ハードディスク、ＣＤ−ＲＯＭ、ＤＶＤ−ＲＯＭなどのディスク状記憶媒体、その他の公知な記憶媒体から構成され得る。記憶媒体９６は有価媒体処理装置１に内蔵されていてもよいし、あるいは、有価媒体処理装置１に対して取り付け可能な外部装置であってもよい。記憶媒体９６が本体制御部８０に接続されると、本体制御部８０は記憶媒体９６に記憶されているプログラム９７に基づいて有価媒体処理装置１の各構成部材に処理を実行させるようになっている。
【００４４】
次に、このような構成からなる本実施の形態の有価媒体処理装置１の動作（具体的には、硬貨入金装置１０や紙幣入金装置５０において硬貨や紙幣の入金処理が行われるときの動作）について説明する。なお、以下に示す有価媒体処理装置１の動作は、本体制御部８０が記憶媒体９６に記憶されているプログラム９７に基づいて当該有価媒体処理装置１の各構成部材を制御することにより、あるいは本体制御部８０が記憶媒体９６に記憶されているプログラム９７に基づいて硬貨制御部８１や紙幣制御部８２を経由して硬貨入金装置１０や紙幣入金装置５０の各構成部材を制御することにより行われるようになっている。
【００４５】
まず、硬貨入金装置１０において硬貨の入金処理が行われるときの動作について説明する。操作者が自己のＩＤカード等の記録媒体９２を読取部９０に通すことにより、当該操作者の権限が認証された後、この操作者が操作表示部８６、８８により入金処理開始の指令を本体制御部８０に与えると、当該操作者は有価媒体処理装置１の筐体１ａの上面に設けられたシャッタ１２ａを手動で開くことにより筐体１ａの外部から硬貨を投入部１２に投入することができるようになる。また、操作者は、筐体１ａの外部から硬貨を投入部１２に投入する前または投入した後に、硬貨の入金金額を操作表示部８６、８８により入力する。硬貨の入金金額が操作表示部８６、８８により入力されると、取得部８３は、投入されるべき硬貨の金額に関する金額情報として、操作表示部８６、８８により受け付けられた硬貨の金額情報を取得する。
【００４６】
そして、筐体１ａの外部から硬貨が投入部１２に投入されるとともに、硬貨の入金金額が操作表示部８６、８８により入力されると、投入部１２に投入された硬貨は当該投入部１２に設けられた回転盤により１枚ずつ筐体１ａの内部に繰り出され、搬送部１４により搬送される。この際に、識別部１６により硬貨の金種、真偽、正損、搬送状態等の識別が行われる。識別部１６により正常な硬貨であると識別された硬貨は振分機構１８により搬送部１４から分岐させられ、一時保留用シュート２２を介して一時保留部２６に送られ、この一時保留部２６に一時的に保留される。この際に、一時保留部２６は図２における中央の位置に維持される。また、識別部１６により正常な硬貨ではないと識別された硬貨や識別部１６により識別することができなかった硬貨はリジェクト硬貨として搬送部１４の下流側端部に設けられた開口から落下し、リジェクト用シュート２４を介してリジェクト部２８に送られる。上述したように、有価媒体処理装置１の筐体１ａの前面側から操作者がリジェクト部２８にアクセスすることができるようになっているため、リジェクト部２８にリジェクト硬貨が送られると、操作者はリジェクト部２８からリジェクト硬貨を取り出すことができるようになる。
【００４７】
投入部１２に投入された硬貨が全て当該投入部１２に設けられた回転盤により筐体１ａの内部に繰り出されて一時保留部２６またはリジェクト部２８に送られると、操作表示部８６、８８には入金確定の承認を求めるメッセージが表示される。そして、操作者が入金確定の指令を操作表示部８６、８８により本体制御部８０に入力すると、一時保留部２６は図２における中央の位置から右側の位置に移動し、この一時保留部２６に一時的に保留されている硬貨が当該一時保留部２６から自重により落下し、収納用シュート３２を介して硬貨収納カセット４０に送られ、この硬貨収納カセット４０に収納されるようになる。一方、操作者が入金確定の指令の代わりに返却の指令を操作表示部８６、８８により本体制御部８０に入力すると、一時保留部２６は図２における中央の位置から左側の位置に移動し、この一時保留部２６に一時的に保留された硬貨が当該一時保留部２６から自重により落下して硬貨返却箱３０に送られるようになる。また、返却の指令が本体制御部８０に入力されると、ロック部３１によるロック状態が解除され、硬貨返却箱３０は筐体１ａから手前側に引き出し可能となる。その後、操作者が把持部分３０ａを把持して硬貨返却箱３０を筐体１ａから手前側に引き出すことにより、硬貨返却箱３０に収納されている硬貨が筐体１ａの外部に返却される。
【００４８】
次に、紙幣入金装置５０において紙幣の入金処理が行われるときの動作について説明する。操作者が自己のＩＤカード等の記録媒体９２を読取部９０に通すことにより、当該操作者の権限が認証された後、この操作者が操作表示部８６、８８により入金処理開始の指令を本体制御部８０に与えると、当該操作者は有価媒体処理装置１の筐体１ａの上面に設けられたシャッタ５２ａを手動で開くことにより筐体１ａの外部から紙幣の束を投入部５２に投入することができるようになる。また、操作者は、筐体１ａの外部から紙幣を投入部５２に投入する前または投入した後に、紙幣の入金金額を操作表示部８６、８８により入力する。紙幣の入金金額が操作表示部８６、８８により入力されると、取得部８３は、投入されるべき紙幣の金額に関する金額情報として、操作表示部８６、８８により受け付けられた紙幣の金額情報を取得する。
【００４９】
そして、筐体１ａの外部から紙幣が投入部５２に投入されるとともに、紙幣の入金金額が操作表示部８６、８８により入力されると、シャッタ５２ａを操作者が手動で閉じた後に繰出機構５４によって紙幣が１枚ずつ筐体１ａの内部に繰り出され、搬送部５６により搬送される。この際に、識別部５８により紙幣の金種、真偽、正損、搬送状態等の識別が行われる。識別部５８により正常な紙幣であると識別された硬貨は分岐部６０により一時保留部６４に送られ、この一時保留部６４に一時的に保留される。また、識別部５８により正常な紙幣ではないと識別された紙幣や識別部５８により識別することができなかった紙幣はリジェクト紙幣としてリジェクト部６２に送られる。上述したように、有価媒体処理装置１の筐体１ａの前面側から操作者がリジェクト部６２にアクセスすることができるようになっているため、リジェクト部６２にリジェクト紙幣が送られると、操作者はリジェクト部６２からリジェクト紙幣を取り出すことができるようになる。
【００５０】
投入部５２に投入された紙幣が全て繰出機構５４により筐体１ａの内部に繰り出されて一時保留部６４またはリジェクト部６２に送られると、操作表示部８６、８８には入金確定の承認を求めるメッセージが表示される。そして、操作者が入金確定の指令を操作表示部８６、８８により本体制御部８０に入力すると、一時保留部６４に一時的に保留された紙幣が当該一時保留部６４から自重により落下して紙幣収納カセット７０に送られ、この紙幣収納カセット７０に収納されるようになる。一方、操作者が入金確定の指令の代わりに返却の指令を操作表示部８６、８８により本体制御部８０に入力すると、扉ロック部６５による扉１ｃのロック状態が解除され、操作者は扉１ｃを開くことにより一時保留部６４から紙幣を取り出すことができるようになる。このようにして、一時保留部６４に収納されている紙幣が筐体１ａの外部に返却される。
【００５１】
なお、硬貨の入金処理と紙幣の入金処理は同時並行的に行われ、単一の入金確定の指令あるいは返却の指令によって収納動作または返却動作が行われる。また、上記の説明では紙幣入金装置５０において紙幣の入金処理が行われるときの動作について述べたが、紙幣入金装置５０において商品券や小切手等の紙幣以外の紙葉類の入金処理が行われるときにも同様の動作が行われる。
【００５２】
次に、本実施の形態による有価媒体処理装置１において、第１の操作者が第１の取引（具体的には、有価媒体の入金処理）を行った後に第２の操作者が第２の取引（具体的には、有価媒体の入金処理）を行うときの動作の流れについて図５に示すフローチャートを用いて説明する。
【００５３】
まず、第１の操作者が有価媒体処理装置１において有価媒体の入金処理を行うにあたり、この第１の操作者が自己のＩＤカード等の記録媒体９２を読取部９０に通すことにより記録媒体９２に記録された情報を読取部９０により読み取らせると（ＳＴＥＰ１０１）、第１の操作者の権限が認証される。また、このときに、有価媒体処理装置１において、第１の取引に係る占有状態が開始される（ＳＴＥＰ１０２）。第１の取引に係る占有状態が開始されると、第１の操作者は有価媒体処理装置１の筐体１ａの上面に設けられたシャッタ１２ａ、５２ａを手動で開くことにより筐体１ａの外部から有価媒体を投入部１２、５２に投入することができるようになる。そして、投入部１２、５２に有価媒体が投入される（ＳＴＥＰ１０３）とともに、操作表示部８６、８８により有価媒体の入金金額が入力されると、投入部１２、５２に投入された有価媒体が筐体１ａの内部に繰り出され、識別部１６、５８により正常な有価媒体であると識別された有価媒体が一時保留部２６、６４に送られるとともに、識別部１６、５８により正常な有価媒体ではないと識別された有価媒体がリジェクト部２８、６２に送られる（ＳＴＥＰ１０４）。
【００５４】
そして、投入部１２、５２に投入された有価媒体が全て一時保留部２６、６４またはリジェクト部２８、６２に送られると、操作表示部８６、８８には入金確定の承認を求めるメッセージが表示される。ここで、第１の操作者が入金確定の指令を操作表示部８６、８８により本体制御部８０に入力すると（ＳＴＥＰ１０５）、一時保留部２６、６４から硬貨収納カセット４０や紙幣収納カセット７０（以下、これらの硬貨収納カセット４０や紙幣収納カセット７０をまとめて単に「収納部」ともいう）に有価媒体が送られるとともに（ＳＴＥＰ１０６）、第１の取引に係る占有状態が終了する（ＳＴＥＰ１０７）。このように、ＩＤカード等の記録媒体９２に記録された情報を読取部９０により読み取らせることが占有状態開始指令となり、入金確定の指令を入力することが占有状態終了指令となる。
【００５５】
その後、第２の操作者が有価媒体処理装置１において有価媒体の入金処理を行うにあたり、この第２の操作者が自己のＩＤカード等の記録媒体９２を読取部９０に通すことにより記録媒体９２に記録された情報を読取部９０により読み取らせると（ＳＴＥＰ１０８）、第２の操作者の権限が認証される。また、このときに、有価媒体処理装置１において、第２の取引に係る占有状態が開始される（ＳＴＥＰ１０９）。第２の取引に係る占有状態が開始されると、第２の操作者は有価媒体処理装置１の筐体１ａの上面に設けられたシャッタ１２ａ、５２ａを手動で開くことにより筐体１ａの外部から有価媒体を投入部１２、５２に投入するようになる（ＳＴＥＰ１１０）。以下、同様にして第２の操作者は有価媒体処理装置１において有価媒体の入金処理を行うことができるようになる。
【００５６】
なお、本実施の形態では、本体制御部８０は、第１の操作者が自己のＩＤカード等の記録媒体９２に記録された情報を読取部９０により読み取らせることによって第１の取引に係る占有状態開始指令を受け付けた後、第１の取引に係る占有状態終了指令を受け付けることなく第２の取引に係る占有状態開始指令を受け付けると、すなわち第１の取引に係る占有状態終了指令を受け付けることなく第２の操作者が自己のＩＤカード等の記録媒体９２に記録された情報を読取部９０により読み取らせると、取得部８３により取得された金額情報と、判定部８４により判定された金額情報とが所定の条件を満たす場合に、第１の取引に係る占有状態を強制的に終了することができるようになっている。このような例について図６に示すフローチャートを用いて説明する。図６に示すフローチャートは、本実施の形態による有価媒体処理装置１において、第１の操作者が第１の取引（具体的には、有価媒体の入金処理）を確定させる前に第２の操作者が第２の取引（具体的には、有価媒体の入金処理）を行おうとしたときの動作の流れの様々な例を示すものである。
【００５７】
最初に、第１の操作者が有価媒体処理装置１において有価媒体の入金処理を行うにあたり、この第１の操作者が自己のＩＤカード等の記録媒体９２を読取部９０に通すことにより記録媒体９２に記録された情報を読取部９０により読み取らせると（ＳＴＥＰ２０１）、第１の操作者の権限が認証される。また、このときに、有価媒体処理装置１において、第１の取引に係る占有状態が開始される（ＳＴＥＰ２０２）。第１の取引に係る占有状態が開始されると、第１の操作者は有価媒体処理装置１の筐体１ａの上面に設けられたシャッタ１２ａ、５２ａを手動で開くことにより筐体１ａの外部から有価媒体を投入部１２、５２に投入することができるようになる。そして、投入部１２、５２に有価媒体が投入される（ＳＴＥＰ２０３）とともに、操作表示部８６、８８により有価媒体の入金金額が入力されると、投入部１２、５２に投入された有価媒体が筐体１ａの内部に繰り出され、識別部１６、５８により正常な貨幣であると識別された有価媒体が一時保留部２６、６４に送られるとともに、識別部１６、５８により正常な有価媒体ではないと識別された貨幣がリジェクト部２８、６２に送られる（ＳＴＥＰ２０４）。そして、投入部１２、５２に投入された有価媒体が全て一時保留部２６、６４またはリジェクト部２８、６２に送られると、操作表示部８６、８８には入金確定の承認を求めるメッセージが表示される。本来であれば、上述したように、第１の操作者が入金確定の指令または返却の指令を操作表示部８６、８８により本体制御部８０に入力する必要があるが、第１の操作者が操作表示部８６、８８により入金確定の指令を入力するのを忘れてしまった場合には、この第１の操作者が有価媒体処理装置１から離れても第１の取引に係る占有状態期間が継続され、第１の操作者により投入部１２、５２に投入された有価媒体のうち正常な有価媒体は一時保留部２６、６４に残留するようになる。
【００５８】
その後、第２の操作者が有価媒体処理装置１において有価媒体の入金処理を行おうとして、この第２の操作者が自己のＩＤカード等の記録媒体９２を読取部９０に通すことにより記録媒体９２に記録された情報を読取部９０により読み取らせると（ＳＴＥＰ２０５）、取得部８３により取得された金額情報と、判定部８４により判定された金額情報とが所定の条件を満たすか否かの判断が本体制御部８０により行われる（ＳＴＥＰ２０６）。ここで、取得部８３により取得された金額情報とは、投入部１２、５２に有価媒体が投入される前または投入された後に、操作者によって操作表示部８６、８８により入力された有価媒体の入金金額である。また、判定部８４により判定された金額情報とは、硬貨入金装置１０の識別部１６や紙幣入金装置５０の識別部５８による有価媒体の識別結果に基づいて得られる、硬貨入金装置１０の投入部１２や紙幣入金装置５０の投入部５２により投入された有価媒体の入金金額である。また、所定の条件とは、取得部８３により取得した金額情報と、判定部８４により判定した金額情報との差が、予め設定された範囲内であることである。取得部８３により取得した金額情報と、判定部８４により判定した金額情報との差が、予め設定された範囲内である場合には（ＳＴＥＰ２０６の「ＹＥＳ」）、一時保留部２６、６４から硬貨収納カセット４０や紙幣収納カセット７０に有価媒体が送られるとともに（ＳＴＥＰ２０７）、第１の取引に係る占有状態が終了する（ＳＴＥＰ２０８）。また、第１の取引に係る占有状態が終了すると、引き続き第２の取引に係る占有状態が開始される（ＳＴＥＰ２０９）。第２の取引に係る占有状態が開始されると、第２の操作者は有価媒体処理装置１の筐体１ａの上面に設けられたシャッタ１２ａ、５２ａを手動で開くことにより筐体１ａの外部から有価媒体を投入部１２、５２に投入するようになる（ＳＴＥＰ２１０）。以下、同様にして第２の操作者は有価媒体処理装置１において有価媒体の入金処理を行うことができるようになる。
【００５９】
一方、取得部８３により取得した金額情報と、判定部８４により判定した金額情報との差が、予め設定された範囲内ではない場合には（ＳＴＥＰ２０６の「ＮＯ」）、すなわち、取得部８３により取得した金額情報と、判定部８４により判定した金額情報との差が、所定の閾値よりも大きい場合には、操作表示部８６、８８には、他の操作者による占有状態が続いている旨の警告メッセージが表示されるとともに図示しない音声部により警告音が発せられる。通常はこのような警告メッセージや警告音を受けることにより第２の操作者は第１の取引に係る占有状態期間が続いていることに気づき、投入部１２、５２に有価媒体を投入しないが、このような警告メッセージや警告音が発せられたにもかかわらず第２の操作者が誤って投入部１２、５２に有価媒体を投入してしまう場合がある。このような場合に、投入部１２、５２に投入された有価媒体のうち正常な有価媒体を一時保留部２６、６４に送ってしまうと、一時保留部２６、６４において第１の操作者に係る有価媒体と第２の操作者に係る有価媒体が混在してしまう。このため、第２の操作者により投入部１２、５２に有価媒体が投入されても、投入部１２、５２に投入された有価媒体を筐体１ａの内部に繰り出すことができないようにする（ＳＴＥＰ２１１）。あるいは、取得部８３により取得した金額情報と、判定部８４により判定した金額情報との差が、予め設定された範囲内ではない場合に、シャッタ１２ａ、５２ａが強制的に閉じられて開くことができないようにすることによって第２の操作者が投入部１２、５２に有価媒体を投入することができなくなるようにしてもよい。このように、取得部８３により取得した金額情報と、判定部８４により判定した金額情報との差が、予め設定された範囲内ではない場合には、有価媒体処理装置１は休止モードとなり、当該有価媒体処理装置１において有価媒体の入金処理が行われなくなる（ＳＴＥＰ２１２）。
【００６０】
また、取得部８３により取得した金額情報と、判定部８４により判定した金額情報との差が、予め設定された範囲内ではない場合には（ＳＴＥＰ２０６の「ＮＯ」）、第１の取引が終了していない旨の情報が通信部９８により上位サーバや管理者の移動携帯端末等の外部装置に送信される（ＳＴＥＰ２１３）。また、この際に、取得部８３により取得した金額情報と、判定部８４により判定した金額情報との差が、予め設定された範囲内ではない旨の情報が通信部９８により外部装置に送信される。また、取得部８３により取得した金額情報および判定部８４により判定した金額情報のうち少なくとも一方または両方の情報が通信部９８により外部装置に送信されるようになっていてもよい。また、取得部８３により取得した金額情報と、判定部８４により判定した金額情報との差額が通信部９８により外部装置に送信されるようになっていてもよい。このことにより、上位サーバや管理者の移動携帯端末等の外部装置において、取得部８３により取得した金額情報と、判定部８４により判定した金額情報との差が、予め設定された範囲内ではない旨の情報や、取得部８３により取得した金額情報および判定部８４により判定した金額情報のうち少なくとも一方または両方の情報、あるいは両者の差額に係る情報を取得することができるようになる。
【００６１】
その後、有価媒体処理装置１における第１の取引に係る占有状態期間を強制的に終了させるには、特定の権限（例えば、管理者権限）に係る確定指令を本体制御部８０に入力し、第１の取引に係る有価媒体の入金処理について強制確定を行う必要がある。具体的には、店長等の管理者が所持する管理者権限カードを読取部９０に通すことにより当該管理者権限カードに記録された情報を読取部９０により読み取らせると、特定の権限（すなわち、管理者権限）に係る確定指令が本体制御部８０に入力されるようになり、有価媒体処理装置１の休止モードが解除され、一時保留部２６、６４に一時的に保留されている第１の操作者に係る貨幣が収納部に送られるとともに、第１の取引に係る占有状態が強制的に終了する。この際に、収納部に収納された第１の操作者に係る有価媒体の情報（具体的には、収納部に収納された有価媒体の金種毎の枚数や合計金額に係る情報）が印字部８５により強制的にレシートに印字され、このレシートは店長等の管理者により保管される。また、第１の操作者に係る有価媒体の入金処理の結果に関する情報が記憶部９４に記憶されたり通信部９８により上位サーバ等の外部装置に送信されたりするようになる。また、リジェクト部２８、６２に有価媒体が残っている場合は、店長等の管理者がリジェクト部２８、６２から有価媒体を回収して別途保管する。その後、第２の操作者が自己のＩＤカード等の記録媒体９２を読取部９０に通すことにより記録媒体９２に記録された情報を読取部９０により読み取らせると、第２の操作者の権限が認証される。また、このときに、有価媒体処理装置１において、第２の取引に係る占有状態が開始される。このようにして、第２の取引に係る占有状態が開始されると、第２の操作者は筐体１ａの外部から有価媒体を投入部１２、５２に投入するようになり、第２の操作者は有価媒体処理装置１において有価媒体の入金処理を行うことができるようになる。
【００６２】
また、図６に示すフローチャートの例において、有価媒体処理装置１において第１の取引に係る占有状態期間が続いているときに、店長等の管理者が所持する管理者権限カードに記録された情報を読取部９０により読み取らせる代わりに、第１の操作者が有価媒体処理装置１に戻ってきて当該第１の操作者が自己のＩＤカード等の記録媒体９２に記録された情報を読取部９０により読み取らせると、有価媒体処理装置１の休止モードが解除され、有価媒体処理装置１において第１の取引に係る占有状態期間が継続されるようになる。そして、有価媒体処理装置１に戻ってきた第１の操作者が入金確定の指令または返却の指令を操作表示部８６、８８により本体制御部８０に入力することにより、一時保留部２６、６４で一時的に保留された有価媒体が収納部に送られたりあるいは筐体１ａの外部に返却されたりするようになる。
【００６３】
以上のような構成からなる本実施の形態の有価媒体処理装置１およびこのような有価媒体処理装置１による有価媒体処理方法によれば、本体制御部８０は、第１の取引において入金されるべき有価媒体の金額情報および第１の取引に係る占有状態開始指令を受け付けた後、第１の取引に係る占有状態終了指令を受け付けることなく第２の取引に係る占有状態開始指令を受け付けると、第１の取引において入金されるべき有価媒体の金額情報（具体的には、取得部８３により取得された金額情報）と、実際に有価媒体処理装置１に入金された有価媒体の金額情報（具体的には、判定部８４により判定された金額情報）とが所定の条件を満たしたときに、第１の取引に係る占有状態を強制的に終了する。このことにより、第１の取引に係る占有状態が強制的に終了した後では第２の取引に係る入金された有価媒体が第１の取引の追加入金として取り扱われることはない。よって予め決められている許容範囲を超えた違算が発生することを防止することができる。具体的には、本実施の形態では、第１の取引において入金されるべき有価媒体の金額情報と、実際に有価媒体処理装置１に入金された有価媒体の金額情報との間に多少の差（例えば、数千円程度）があっても、この差が予め決められている許容範囲内であれば、第２の取引に係る占有状態開始指令を受け付けると、第１の取引に係る占有状態が強制的に終了するようになる。
【００６４】
なお、上記の説明では、取得部８３により取得された金額情報および判定部８４により判定された金額情報がそれぞれ有価媒体の合計金額である態様について述べたが、本実施の形態はこのような態様に限定されることはない。取得部８３により取得された金額情報および判定部８４により判定された金額情報として、それぞれ、有価媒体の種別毎の枚数（具体的には、例えば有価媒体が貨幣の場合は貨幣の金種毎の枚数）が用いられてもよい。
【００６５】
また、本実施の形態の有価媒体処理装置１においては、上述したように、本体制御部８０は、第１の取引に係る占有状態開始指令を受け付けた後、第１の取引に係る占有状態終了指令を受け付けることなく第２の取引に係る占有状態開始指令を受け付けると、取得部８３により取得した金額情報と、判定部８４により判定した金額情報とが所定の条件を満たさないのであれば、通信部９８（送信部）により、取得部８３により取得した金額情報と、判定部８４により判定した金額情報とが所定の条件を満たさない旨の情報を外部装置に送信するようになっている。また、この際に、通信部９８は、取得部８３により取得した金額情報および判定部８４により判定した金額情報のうち少なくとも１つを外部装置に送信してもよい。このことにより、上位サーバや管理者の移動携帯端末等の外部装置において、取得部８３により取得した金額情報と、判定部８４により判定した金額情報との差が、予め設定された範囲内ではない旨の情報や、取得部８３により取得した金額情報および判定部８４により判定した金額情報のうち少なくとも一方または両方の情報を取得することができるようになる。なお、通信部９８は、外部装置として第１の操作者の移動通信媒体に上記の情報を送信してもよい。この場合には、第１の操作者は第１の取引に係る占有状態が終了していないことに気づくため、有価媒体処理装置１に戻って自己のＩＤカード等の記録媒体９２に記録された情報を読取部９０により読み取らせることにより、有価媒体処理装置１の休止モードを解除して当該有価媒体処理装置１において第１の取引に係る占有状態期間を継続させることができるようになる。また、本実施の形態では、第１の取引が確定されたときに、取得部８３により取得した金額情報および判定部８４により判定した金額情報のうち少なくとも１つが通信部９８により外部装置に送信されてもよい。
【００６６】
また、本実施の形態の有価媒体処理装置１においては、上述したように、有価媒体の入金処理が行われる際に、投入部１２、５２に投入された有価媒体が全て一時保留部２６、６４またはリジェクト部２８、６２に送られ、操作表示部８６、８８に入金確定の承認を求めるメッセージが表示された後、操作者が入金確定の指令を操作表示部８６、８８により本体制御部８０に入力すると、この操作者の取引に係る占有状態が終了する。しかしながら、操作表示部８６、８８に入金確定の承認を求めるメッセージが表示されたときに、操作者が入金確定の指令を操作表示部８６、８８により入力し忘れてしまう場合がある。このような事態が生じることを抑制するために、操作表示部８６、８８に入金確定の承認を求めるメッセージが表示されたときに、操作者が入金確定の指令を操作表示部８６、８８により入力すると、有価媒体処理装置１が設置されている商業施設等で使用できるポイントが当該操作者に付与されるようになっていてもよい。具体的には、操作表示部８６、８８に入金確定の承認を求めるメッセージが表示されたときに、操作者が入金確定の指令を操作表示部８６、８８により入力すると、操作者にポイントが付与されるというメッセージおよび操作者が携帯するＩＤカード等の記録媒体９２を読取部９０により読み取らせることを操作者に指示する旨のメッセージがそれぞれ操作表示部８６、８８に表示される。そして、操作者が携帯するＩＤカード等の記録媒体９２を読取部９０により読み取らせると、操作者に付与されたポイントがこの記録媒体９２に書き込まれるようになる。また、操作者にポイントが付与されると、操作表示部８６、８８には更新後の操作者のポイント等の情報が表示されるようになる。このことにより、操作者に対して強制ではなく自らの意思により入金確定の指令を操作表示部８６、８８により入力させることができるようになる。
【００６７】
また、別の態様として、操作者が携帯する移動携帯端末に情報を書き込む書込部（図示せず）が有価媒体処理装置１に設けられており、操作表示部８６、８８に入金確定の承認を求めるメッセージが表示されたときに、操作者が入金確定の指令を操作表示部８６、８８により入力すると、操作者にポイントが付与されるというメッセージおよび操作者が携帯する移動携帯端末を書込部にかざすことを操作者に指示する旨のメッセージがそれぞれ操作表示部８６、８８に表示される。そして、操作者が携帯する移動携帯端末を書込部にかざすと、操作者に付与されたポイントがこの移動携帯端末に書き込まれるようになる。また、更に別の態様として、操作表示部８６、８８に入金確定の承認を求めるメッセージが表示されたときに、操作者が入金確定の指令を操作表示部８６、８８により入力すると、有価媒体処理装置１が設置されている商業施設等で使用できる割引クーポン券等が印字部８５により印字されるようになっていてもよい。
【００６８】
また、有価媒体処理装置１が商業施設等のバックオフィス領域に設けられた入金室に設置されている場合には、この入金室から退室する際に、印字部８５により印字されたレシートに記載されているバーコードや二次元コード等を入金室の扉の傍に設けられた読取機により読み取らせなければ入金室の扉のロックが解除されないようになっていてもよい。この場合には、操作表示部８６、８８に入金確定の承認を求めるメッセージが表示されたときに、操作者が入金確定の指令を操作表示部８６、８８により入力すると、入金室から退室するのに必要な（具体的には、入金室の扉のロックを解除するのに必要な）バーコードや二次元コード等が記載されているレシートが印字部８５により印字されるようになっていてもよい。
【００６９】
また、本実施の形態の有価媒体処理装置１において、操作者の生体認証を行う生体認証部が設けられていてもよい。具体的には、生体認証部は、操作者の顔や静脈、指紋等の認証を行うことにより、有価媒体処理装置１の操作を行う操作者を特定するようになっている。このような有価媒体処理装置１では、生体認証部により操作者の生体認証が行われたときに、本体制御部８０においてこの操作者の取引に係る占有状態開始指令が受け付けられ、当該操作者の取引に係る占有状態が開始されるようになる。また、本体制御部８０は、ある操作者の生体認証が生体認証部により行われることによりこの操作者に関連する第１の取引に係る占有状態開始指令を受け付けた後、第１の取引に係る占有状態終了指令を受け付けることなく、別の操作者の生体認証が生体認証部により行われることによりこの操作者に関連する第２の取引に係る占有状態開始指令を受け付けると、取得部８３により取得された金額情報と、判定部８４により判定された金額情報とが所定の条件を満たしたときに、第１の取引に係る占有状態を強制的に終了する。このことにより、第１の取引に係る占有状態が強制的に終了した後では第２の取引に係る入金された有価媒体が第１の取引の追加入金として取り扱われることはない。よって予め決められている許容範囲を超えた違算が発生することを防止することができる。
【００７０】
なお、本発明に係る有価媒体処理装置は、図１乃至図４に示す構成の有価媒体処理装置１に限定されることはない。本発明に係る有価媒体処理装置として、図７および図８に示す構成の有価媒体処理装置１０１が用いられてもよい。図７および図８に示す有価媒体処理装置１０１は、図１乃至図４に示す構成の有価媒体処理装置１と比較して、投入部により投入され、識別部により識別された有価媒体を一時的に保留する一時保留部が設けられていない。
【００７１】
図７および図８に示す有価媒体処理装置１０１は、ホテル等において精算機の内部に搭載されたり、病院等において診療代支払機の内部に搭載されたり、あるいは商業施設等において電子マネーチャージ機の内部に搭載されたりするものであり、紙幣や商品券等の有価媒体の入金処理や出金処理等の様々な処理を行うようになっている。図７は、このような有価媒体処理装置１０１の内部構成を概略的に示す構成図である。ここで、図７における有価媒体処理装置１０１の右側の面が当該有価媒体処理装置１０１を正面側から見たときの前面となり、図７における左方向が有価媒体処理装置１０１の奥行き方向となっている。
【００７２】
図７に示すように、有価媒体処理装置１０１を正面側から見たときの前面には入金部１１２および払出部１１８がそれぞれ設けられている。ここで、操作者が有価媒体処理装置１０１に紙幣等の有価媒体を入金したい場合には、当該操作者は入金部１１２に有価媒体をまとめて投入するようになっている。また、入金部１１２には繰出機構１１２ａが設けられており、入金部１１２に投入された有価媒体は繰出機構１１２ａにより１枚ずつ後述する搬送部１１４に繰り出されるようになっている。また、図７に示すように、搬送部１１４における入金部１１２の近傍には入金識別部１１３が設けられており、入金部１１２から繰出機構１１２ａにより搬送部１１４に繰り出された有価媒体は入金識別部１１３により識別されるようになっている。このような入金識別部１１３は後述する識別部１１６と略同一の機能を果たすようになっている。一方、有価媒体処理装置１０１から紙幣等の有価媒体が出金される場合には、出金されるべき有価媒体が後述する搬送部１１４により払出部１１８に送られてこの払出部１１８に集積されるようになっている。そして、出金されるべき有価媒体が全て払出部１１８に集積されると、払出部１１８から束状態の有価媒体が操作者側に（すなわち、図７における右方向に）飛び出すようになっている。このことにより、操作者は払出部１１８から飛び出した束状態の有価媒体を取り出すことができるようになる。
【００７３】
また、図７に示すように、有価媒体処理装置１０１の筐体の内部において入金部１１２や払出部１１８の下方にはリジェクト部１２０および３つのカセット装着部１２２、１２４、１２６が鉛直方向に沿って並ぶよう設けられている。リジェクト部１２０は、有価媒体の出金処理において、後述する識別部１１６による識別結果に基づいて有価媒体処理装置１０１から払い出されるべきではないと判定された有価媒体が収納されるようになっている。なお、「識別部１１６による識別結果に基づいて有価媒体処理装置１０１から払い出されるべきではないと判定される」とは、搬送異常により識別不可の場合以外にも、出金対象の種類の紙幣や商品券ではない場合も有価媒体処理装置１０１から払い出されるべきではないと判定されることをいう。また、リジェクト部１２０に収納された有価媒体は、有価媒体処理装置１０１の筐体の側面に設けられた扉（図示せず）を開くことによって取り出すことができるようになっている。また、このような扉は特定の権限を有する者（例えば、管理者）のみが開くことができるようになっている。
【００７４】
また、各カセット装着部１２２、１２４、１２６にはそれぞれ有価媒体を収納する収納カセット１３２、１３４、１３６が着脱可能に装着されるようになっている。各カセット装着部１２２、１２４、１２６に装着される収納カセット１３２、１３４、１３６に収納されるべき有価媒体の種類の詳細については後述する。また、図７に示すように、有価媒体処理装置１０１の筐体の内部には搬送部１１４が設けられており、当該搬送部１１４により入金部１１２、払出部１１８、リジェクト部１２０、各カセット装着部１２２、１２４、１２６に装着されている収納カセット１３２、１３４、１３６の間で有価媒体が１枚ずつ搬送されるようになっている。また、搬送部１１４には識別部１１６が設けられており、この識別部１１６は、当該識別部１１６を通過する有価媒体をイメージセンサ等によって撮像することにより当該有価媒体の画像に基づいて有価媒体の識別を行うようになっている。具体的には、搬送部１１４により搬送される有価媒体が例えば紙幣である場合には、識別部１１６は当該紙幣の金種、真偽、正損、新旧、搬送状態等の識別を行うようになっている。また、搬送部１１４により搬送される有価媒体が例えば商品券である場合には、識別部１１６は当該商品券の発行元の会社名、商品券の種類、金額、搬送状態等の識別を行うようになっている。
【００７５】
各カセット装着部１２２、１２４、１２６に着脱可能に装着される収納カセット１３２、１３４、１３６には複数の有価媒体が積層状態で収納されるようになっている。なお、各収納カセット１３２、１３４、１３６に収納されている有価媒体を図７において参照符合Ｐで示す。ここで、収納カセット１３２、１３４、１３６がカセット装着部１２２、１２４、１２６に装着されているときに、搬送部１１４から収納カセット１３２、１３４、１３６に送られた有価媒体が当該収納カセット１３２、１３４、１３６に収納されるようになっている。また、収納カセット１３２、１３４、１３６にはそれぞれ繰出機構１３２ａ、１３４ａ、１３６ａが設けられており、収納カセット１３２、１３４、１３６がカセット装着部１２２、１２４、１２６に装着されているときに、有価媒体処理装置１０１の本体側から収納カセット１３２、１３４、１３６の繰出機構１３２ａ、１３４ａ、１３６ａに動力が与えられることにより、これらの繰出機構１３２ａ、１３４ａ、１３６ａによって収納カセット１３２、１３４、１３６に収納されている有価媒体が１枚ずつ搬送部１１４に繰り出されるようになっている。また、収納カセット１３２、１３４、１３６には、当該収納カセット１３２、１３４、１３６に収納されている有価媒体に関する情報等の様々な情報を記憶するＩＣタグ等の記憶媒体（図示せず）が設けられている。
【００７６】
また、収納カセット１３２、１３４、１３６が着脱可能に装着されるカセット装着部１２２、１２４、１２６は、ロック機構１２２ａ、１２４ａ、１２６ａおよびリーダライタ１２２ｂ、１２４ｂ、１２６ｂをそれぞれ有している（図８参照）。各ロック機構１２２ａ、１２４ａ、１２６ａは、各カセット装着部１２２、１２４、１２６に収納カセット１３２、１３４、１３６が装着されているときに当該収納カセット１３２、１３４、１３６がカセット装着部１２２、１２４、１２６から外れないようロックするようになっている。また、このような各ロック機構１２２ａ、１２４ａ、１２６ａによるロックが解除されると、操作者はカセット装着部１２２、１２４、１２６から収納カセット１３２、１３４、１３６を取り出すことができるようになる。また、各リーダライタ１２２ｂ、１２４ｂ、１２６ｂは、各カセット装着部１２２、１２４、１２６に収納カセット１３２、１３４、１３６が装着されているときに当該収納カセット１３２、１３４、１３６に設けられた記憶媒体から情報を読み取ったり当該記憶媒体に情報を書き込んだりするようになっている。
【００７７】
また、本実施の形態では、カセット装着部１２２に装着される収納カセット１３２には概して一万円札が収納されるようになっており、カセット装着部１２４に装着される収納カセット１３４には概して五千円札が収納されるようになっており、カセット装着部１２６に装着される収納カセット１３６には概して千円札が収納されるようになっている。そして、有価媒体処理装置１０１における紙幣の入金処理において、操作者によって入金部１１２に紙幣が投入された場合には、入金部１１２の繰出機構１１２ａにより搬送部１１４に繰り出された紙幣が入金識別部１１３によって識別された後に各カセット装着部１２２、１２４、１２６に装着されている収納カセット１３２、１３４、１３６に紙幣が金種毎に送られるようになっている。なお、紙幣の入金処理において、入金部１１２の繰出機構１１２ａにより搬送部１１４に繰り出された紙幣が入金識別部１１３によって識別される代わりに識別部１１６により識別されるようになっていてもよい。
【００７８】
また、有価媒体処理装置１０１における釣銭としての紙幣の出金処理においては、各カセット装着部１２４、１２６に装着されている収納カセット１３４、１３６から五千円札や千円札が搬送部１１４に繰り出され、この繰り出された紙幣は識別部１１６によって識別された後に払出部１１８に送られるようになっている。
【００７９】
また、有価媒体処理装置１０１に収納されている紙幣を回収する際には、カセット装着部１２２、１２４、１２６に装着されている収納カセット１３２、１３４、１３６が当該カセット装着部１２２、１２４、１２６から取り外されるようになっている。
【００８０】
次に、このような有価媒体処理装置１０１の制御系の構成について図８を用いて説明する。図８に示すように、有価媒体処理装置１０１には、当該有価媒体処理装置１０１の各構成部材の制御を行う制御部１５０が設けられており、入金部１１２（具体的には、繰出機構１１２ａ）、入金識別部１１３、搬送部１１４、識別部１１６、カセット装着部１２２、１２４、１２６（具体的には、ロック機構１２２ａ、１２４ａ、１２６ａやリーダライタ１２２ｂ、１２４ｂ、１２６ｂ）等がそれぞれ当該制御部１５０に接続されている。そして、入金識別部１１３や識別部１１６による有価媒体の識別結果や、各リーダライタ１２２ｂ、１２４ｂ、１２６ｂにより収納カセット１３２、１３４、１３６の記憶媒体から読み取られた情報が入金識別部１１３、識別部１１６、各リーダライタ１２２ｂ、１２４ｂ、１２６ｂから制御部１５０に送られるようになっている。また、制御部１５０は、入金部１１２、搬送部１１４、カセット装着部１２２、１２４、１２６等の各構成部材に指令信号を送ることによりこれらの構成部材の制御を行うようになっている。
【００８１】
また、図８に示すように、制御部１５０には操作表示部１５２、リーダライタ１５３、記憶部１５４および通信部１５６がそれぞれ接続されている。操作表示部１５２は例えば有価媒体処理装置１０１の前面や上面に設けられたタッチパネルから構成されており、当該操作表示部１５２は、各カセット装着部１２２、１２４、１２６に装着されている収納カセット１３２、１３４、１３６に収納されている有価媒体の枚数や合計金額等の様々な情報を表示するようになっている。また、操作者は操作表示部１５２により制御部１５０に対して様々な指令を入力することができるようになっている。また、リーダライタ１５３は、操作者が携帯する、ＩＣチップが内蔵されたカード型のルームキーや診察券、電子マネーがチャージされたカードや移動携帯端末等の記録媒体１９０に記憶された情報を読み取ったり当該記録媒体１９０に情報を書き込んだりするようになっている。具体的には、リーダライタ１５３には、カード型のルームキーや診察券、電子マネーがチャージされたカードや移動携帯端末等の記録媒体１９０が載せられる載置台が設けられており、載置台に載置されている記録媒体１９０に対しリーダライタ１５３により情報の読み書きを行うことができるようになっている。また、記憶部１５４およびリーダライタ１２２ｂ、１２４ｂ、１２６ｂには、各カセット装着部１２２、１２４、１２６に装着されている収納カセット１３２、１３４、１３６に収納されている有価媒体の枚数や合計金額等の様々な情報が記憶されるようになっている。
【００８２】
また、図８に示すように、制御部１５０には、投入されるべき有価媒体の金額に関する金額情報を取得する取得部１８３、および識別部１１６による有価媒体の識別結果に基づいて、有価媒体処理装置１０１に投入された有価媒体の金額情報を判定する判定部１８４がそれぞれ設けられている。このような取得部１８３および判定部１８４の機能の詳細については後述する。
【００８３】
また、制御部１５０は通信部１５６により外部装置に対して有線または無線により上位サーバ等の外部装置と様々な信号の送受信を行うようになっている。具体駅には、有価媒体処理装置１０１がホテル等に設置される精算機の内部に搭載される場合には、制御部１５０は通信部１５６により外部装置として上位サーバに対して信号の送受信を行う。具体的には、制御部１５０は、通信部１５６を介して上位サーバから宿泊客の宿泊代等に係る情報を金額情報として受信することができるようになる。また、有価媒体処理装置１０１が病院等に設置される診療代支払機の内部に搭載される場合には、制御部１５０は通信部１５６により外部装置として医療サーバに対して信号の送受信を行う。具体的には、制御部１５０は、通信部１５６を介して医療サーバから患者の診療代等に係る情報を金額情報として受信することができるようになる。なお、有価媒体処理装置１０１が商業施設等に設置される電子マネーチャージ機の内部に搭載される場合には、通信部１５６が設けられておらず、有価媒体処理装置１０１がスタンドアローンタイプのものとして用いられるようになっていてもよい。
【００８４】
また、制御部１５０には、有価媒体処理装置１０１で実行される各種処理を制御部１５０による制御にて実現するためのプログラム１５９が記憶された記憶媒体１５８が接続されている。このような記憶媒体１５８はＲＯＭやＲＡＭなどのメモリー、フラッシュメモリ、ハードディスク、ＣＤ−ＲＯＭ、ＤＶＤ−ＲＯＭなどのディスク状記憶媒体、その他の公知な記憶媒体から構成され得る。記憶媒体１５８は有価媒体処理装置１０１に内蔵されていてもよいし、あるいは、有価媒体処理装置１０１に対して取り付け可能な外部装置であってもよい。記憶媒体１５８が制御部１５０に接続されると、制御部１５０は記憶媒体１５８に記憶されているプログラム１５９に基づいて有価媒体処理装置１０１の各構成部材に処理を実行させるようになっている。
【００８５】
次に、このような有価媒体処理装置１０１において有価媒体（具体的には、紙幣）の入金処理が行われるときの動作について説明する。なお、以下に示すような動作は、制御部１５０が記憶媒体１５８に記憶されているプログラム１５９に基づいて有価媒体処理装置１０１の各構成部材を制御することによって行われるようになっている。
【００８６】
有価媒体処理装置１０１がホテル等に設置される精算機の内部に搭載される場合には、宿泊客等の操作者が有価媒体処理装置１０１により宿泊代等の精算を行うにあたり、カード型のルームキー等の記録媒体１９０をリーダライタ１５３に設けられた載置台に載置し、この記録媒体１９０に記録されている情報をリーダライタ１５３に読み取らせると、この記録媒体１９０に記憶されている部屋番号等の識別情報に対応する金額情報（具体的には、宿泊代等）が上位サーバから通信部１５６を介して制御部１５０に送信される。また、有価媒体処理装置１０１が病院等に設置される診療代支払機の内部に搭載される場合には、患者等の操作者が有価媒体処理装置１０１により診療代等の精算を行うにあたり、カード型の診察券等の記録媒体１９０をリーダライタ１５３に読み取らせると、この記録媒体１９０に記憶されている患者の識別情報に対応する金額情報（具体的には、診療代等）が医療サーバから通信部１５６を介して制御部１５０に送信される。そして、取得部１８３は、投入されるべき有価媒体の金額情報として、上位サーバや医療サーバから通信部１５６を介して制御部１５０に送信された金額情報を取得する。また、有価媒体処理装置１０１が商業施設等に設置される電子マネーチャージ機の内部に搭載される場合には、顧客等の操作者は、ＩＣチップが内蔵されたカードや移動携帯端末等の記録媒体１９０をリーダライタ１５３により読み取らせた後、操作表示部１５２により入金されるべき有価媒体の金額や種類別の枚数等に係る情報を入力する。この場合には、取得部１８３は、投入されるべき有価媒体の金額情報として、操作表示部１５２により入力された金額情報を取得する。
【００８７】
その後、操作者が入金部１１２に有価媒体を投入すると、入金部１１２に投入された有価媒体は繰出機構１１２ａにより１枚ずつ搬送部１１４に繰り出される。そして、搬送部１１４に繰り出された有価媒体は当該搬送部１１４により１枚ずつ搬送される。この際に、搬送部１１４により搬送される有価媒体は入金識別部１１３により識別される。ここで、入金識別部１１３により識別された有価媒体が紙幣であり、かつこの紙幣が正常なものである場合には、当該紙幣は搬送部１１４により各カセット装着部１２２、１２４、１２６に装着されている収納カセット１３２、１３４、１３６に金種毎に送られ、各収納カセット１３２、１３４、１３６に収納される。一方、入金識別部１１３により識別された有価媒体が紙幣であるが、この紙幣が偽券や損券等であったり搬送異常であったりすることにより正常なものではない場合には、当該紙幣は搬送部１１４により払出部１１８に送られ、この払出部１１８に集積される。そして、払出部１１８に集積された紙幣は当該払出部１１８から操作者側に飛び出すことにより、操作者は払出部１１８から飛び出した紙幣を入金部１１２に再投入することができるようになる。また、制御部１５０においてカセット装着部１２２に装着されている収納カセット１３２に一万円札以外にも商品券を収納することが設定されているときには、入金識別部１１３により識別された有価媒体が商品券である場合に当該商品券は搬送部１１４によりカセット装着部１２２に装着されている収納カセット１３２に送られ、当該収納カセット１３２に収納される。一方、制御部１５０においてカセット装着部１２２に装着されている収納カセット１３２に商品券を収納することが設定されていないときには、入金識別部１１３により識別された有価媒体が商品券である場合に当該商品券は搬送部１１４により払出部１１８に送られ、この払出部１１８に集積される。払出部１１８に集積された商品券は当該払出部１１８から操作者側に飛び出すことにより、操作者は払出部１１８から飛び出した商品券を取ることができるようになる。また、判定部１８４は、入金識別部１１３による有価媒体の識別結果に基づいて、有価媒体処理装置１０１に投入された有価媒体の金額情報を判定する。そして、入金部１１２に投入された有価媒体が全て各カセット装着部１２２、１２４、１２６に装着されている収納カセット１３２、１３４、１３６等に収納されると、有価媒体の入金処理が完了する。
【００８８】
また、図７および図８に示す有価媒体処理装置１０１では、操作者が記録媒体１９０をリーダライタ１５３に設けられている載置台に載置して当該リーダライタ１５３により読み取らせた後に所定時間（例えば、数秒）が経過すると、制御部１５０においてこの操作者の取引に係る占有状態開始指令が受け付けられ、当該操作者の取引に係る占有状態が開始される。また、操作者が入金部１１２に有価媒体を投入した後、この操作者の取引に係る占有状態が続いているときに操作表示部１５２において入金完了ボタンを押下すると、制御部１５０においてこの操作者の取引に係る占有状態終了指令が受け付けられ、当該操作者の取引に係る占有状態が終了する。
【００８９】
また、図７および図８に示す有価媒体処理装置１０１でも、制御部１５０は、第１の取引において入金されるべき有価媒体の金額情報および第１の取引に係る占有状態開始指令を受け付けた後、第１の取引に係る占有状態終了指令を受け付けることなく第２の取引に係る占有状態開始指令を受け付けると、第１の取引において入金されるべき有価媒体の金額情報（具体的には、取得部１８３により取得された金額情報）と、実際に有価媒体処理装置１に入金された有価媒体の金額情報（具体的には、判定部１８４により判定された金額情報）とが所定の条件を満たしたときに、第１の取引に係る占有状態を強制的に終了する。このことにより、第１の取引に係る占有状態が強制的に終了した後では第２の取引に係る入金された有価媒体が第１の取引の追加入金として取り扱われることはない。よって予め決められている許容範囲を超えた違算が発生することを防止することができる。具体的には、図７等に示す有価媒体処理装置１０１において、第１の取引において入金されるべき有価媒体の金額情報と、実際に有価媒体処理装置１０１に入金された有価媒体の金額情報との間に多少の差（例えば、数千円程度）があっても、この差が予め決められている許容範囲内であれば、第２の取引に係る占有状態開始指令を受け付けると、第１の取引に係る占有状態が強制的に終了するようになる。
【００９０】
具体的に説明すると、図７等に示す有価媒体処理装置１０１がホテル等の精算機の内部に設置されている場合、宿泊客等の操作者が有価媒体処理装置１０１により宿泊代等の精算を行うにあたり、まず、当該操作者はカード型のルームキー等の記録媒体１９０をリーダライタ１５３に設けられた載置台に載置し、この記録媒体１９０に記録されている情報をリーダライタ１５３に読み取らせる。このことにより、この記録媒体１９０に記憶されている部屋番号等の識別情報に対応する金額情報（具体的には、宿泊代等）が上位サーバから通信部１５６を介して制御部１５０に送信される。また、取得部１８３は、投入されるべき有価媒体の金額情報として、上位サーバから通信部１５６を介して制御部１５０に送信された金額情報を取得する。その後、宿泊客等の操作者が入金部１１２に有価媒体を投入すると、入金部１１２に投入された有価媒体は搬送部１１４により各カセット装着部１２２、１２４、１２６に装着されている収納カセット１３２、１３４、１３６に種類毎に送られ、各収納カセット１３２、１３４、１３６に収納される。また、この際に、判定部１８４は、入金識別部１１３による有価媒体の識別結果に基づいて、有価媒体処理装置１０１に投入された有価媒体の金額情報を判定する。その後、操作者が操作表示部１５２において入金完了ボタンを押下すると、制御部１５０においてこの操作者の取引に係る占有状態終了指令が受け付けられ、当該操作者の取引に係る占有状態が終了する。一方、操作者が操作表示部１５２において入金完了ボタンを押下しないで有価媒体処理装置１０１から離れ、別の宿泊客等の操作者がカード型のルームキー等の記録媒体１９０をリーダライタ１５３に読み取らせると、最初の操作者に関して取得部１８３により取得された金額情報と、判定部１８４により判定された金額情報とが所定の条件を満たす場合には（具体的には、例えば最初の操作者の処理に関して釣銭が発生しない場合には）、第１の取引に係る占有状態を強制的に終了する。この場合には、次の操作者に関する第２の取引に係る占有状態が開始される。また、別の宿泊客等の操作者がカード型のルームキー等の記録媒体１９０をリーダライタ１５３に読み取らせたときに、最初の操作者に関して取得部１８３により取得された金額情報と、判定部１８４により判定された金額情報とが所定の条件を満たさない場合には（具体的には、最初の操作者の処理に関して釣銭が発生する場合には）、制御部１５０は通信部１５６により最初の操作者に釣銭が発生している旨の情報を通達するためのメール配信等を行う。あるいは、最初の操作者が次回に有価媒体処理装置１０１を使用する際に、釣銭としての有価媒体を有価媒体処理装置１０１から出金させてこの操作者に返却するようにする。
【００９１】
また、図７等に示す有価媒体処理装置１０１が病院等の診療代支払機の内部に設置されている場合、患者等の操作者が有価媒体処理装置１０１により診療代等の精算を行うにあたり、まず、当該操作者はカード型の診察券等の記録媒体１９０をリーダライタ１５３に設けられた載置台に載置し、この記録媒体１９０に記録されている情報をリーダライタ１５３に読み取らせる。このことにより、この記録媒体１９０に記憶されている患者の識別情報に対応する金額情報（具体的には、診療代等）が病院サーバから通信部１５６を介して制御部１５０に送信される。また、取得部１８３は、投入されるべき有価媒体の金額情報として、病院サーバから通信部１５６を介して制御部１５０に送信された金額情報を取得する。その後、患者等の操作者が入金部１１２に有価媒体を投入すると、入金部１１２に投入された有価媒体は搬送部１１４により各カセット装着部１２２、１２４、１２６に装着されている収納カセット１３２、１３４、１３６に種類毎に送られ、各収納カセット１３２、１３４、１３６に収納される。また、この際に、判定部１８４は、入金識別部１１３による有価媒体の識別結果に基づいて、有価媒体処理装置１０１に投入された有価媒体の金額情報を判定する。その後、操作者が操作表示部１５２において入金完了ボタンを押下すると、制御部１５０においてこの操作者の取引に係る占有状態終了指令が受け付けられ、当該操作者の取引に係る占有状態が終了する。一方、操作者が操作表示部１５２において入金完了ボタンを押下しないで有価媒体処理装置１０１から離れ、別の患者等の操作者がカード型の診察券等の記録媒体１９０をリーダライタ１５３に読み取らせると、最初の操作者に関して取得部１８３により取得された金額情報と、判定部１８４により判定された金額情報とが所定の条件を満たす場合には（具体的には、最初の操作者の処理に関して釣銭が発生しない場合には）、第１の取引に係る占有状態を強制的に終了する。この場合には、次の操作者に関する第２の取引に係る占有状態が開始される。また、別の患者等の操作者がカード型の診察券等の記録媒体１９０をリーダライタ１５３に読み取らせたときに、最初の操作者に関して取得部１８３により取得された金額情報と、判定部１８４により判定された金額情報とが所定の条件を満たさない場合には（具体的には、最初の操作者の処理に関して釣銭が発生する場合には）、制御部１５０は通信部１５６により最初の操作者に釣銭が発生している旨等の情報を通達するためのメール配信等を行う。あるいは、最初の操作者が次回に有価媒体処理装置１０１を使用する際に、釣銭としての有価媒体を有価媒体処理装置１０１から出金させてこの操作者に返却するようにする。
【００９２】
また、図７等に示す有価媒体処理装置１０１がホテル等の精算機の内部や病院等の診療代支払機の内部に設置されている場合、カード型のルームキーや診察券等の記録媒体１９０をリーダライタ１５３に設けられた載置台に載置された後、操作表示部１５２において入金完了ボタンが押下される前にこの載置台から記録媒体１９０が取り除かれたときに、操作表示部１５２に警告画面が表示されるようになっていてもよい。このことにより、入金完了ボタンを押下し忘れていることを操作者に報知することができるようになる。
【００９３】
また、図７等に示す有価媒体処理装置１０１が商業施設等の電子マネーチャージ機の内部に設置されている場合、顧客等の操作者が有価媒体処理装置１０１により電子マネーのチャージを行うにあたり、まず、操作者は記録媒体１９０をリーダライタ１５３に設けられた載置台に載置する。次に、操作者は操作表示部１５２によりチャージされるべき金額を入力する。このことにより、取得部１８３は、投入されるべき有価媒体の金額情報として、操作表示部１５２により入力された金額情報を取得する。その後、顧客等の操作者が入金部１１２に有価媒体を投入すると、入金部１１２に投入された有価媒体は搬送部１１４により各カセット装着部１２２、１２４、１２６に装着されている収納カセット１３２、１３４、１３６に種類毎に送られ、各収納カセット１３２、１３４、１３６に収納される。また、この際に、判定部１８４は、入金識別部１１３による有価媒体の識別結果に基づいて、有価媒体処理装置１０１に投入された有価媒体の金額情報を判定する。そして、取得部１８３により取得された金額情報と、判定部１８４により判定された金額情報とが所定の条件を満たす場合には、別の顧客等の操作者がカードや移動携帯端末等の記録媒体１９０をリーダライタ１５３に設けられた載置台に載置したときに、制御部１５０において最初の操作者の取引に係る占有状態終了指令が受け付けられ、当該操作者の取引に係る占有状態が終了する。また、取得部１８３により取得された金額情報と、判定部１８４により判定された金額情報とが所定の条件を満たす場合には、最初の操作者がリーダライタ１５３に設けられた載置台から記録媒体１９０を取り出したときに、制御部１５０において最初の操作者の取引に係る占有状態終了指令が受け付けられ、当該操作者の取引に係る占有状態が終了するようになっていてもよい。
【００９４】
また、図７および図８に示す有価媒体処理装置１０１では、収納カセット１３２、１３４、１３６により有価媒体を有価媒体処理装置１０１に入金することができるようになっている。ここで、入金されるべき有価媒体が収納されている収納カセット１３２、１３４、１３６に設けられたＩＣタグ等の記憶媒体には、収納カセット１３２、１３４、１３６に収納されている入金されるべき有価媒体の種類毎の枚数や合計金額等の金額情報が記憶されている。そして、入金されるべき有価媒体が収納されている収納カセット１３２、１３４、１３６をカセット装着部１２２、１２４、１２６に装着すると、カセット装着部１２２、１２４、１２６に装着された収納カセット１３２、１３４、１３６から有価媒体が１枚ずつ搬送部１１４に繰り出され、当該搬送部１１４により搬送される。また、搬送部１１４により搬送される有価媒体は識別部１１６により識別が行われた後、各カセット装着部１２２、１２４、１２６に装着されている他の収納カセット１３２、１３４、１３６に金種毎に送られる。判定部１８４は、識別部１１６による有価媒体の識別結果に基づいて、収納カセット１３２、１３４、１３６により有価媒体処理装置１０１に投入された有価媒体の金額情報を判定する。そして、カセット装着部１２２、１２４、１２６に装着された収納カセット１３２、１３４、１３６から有価媒体が全て繰り出され、この繰り出された有価媒体が他の収納カセット１３２、１３４、１３６に送られると、収納カセット１３２、１３４、１３６を用いた有価媒体の入金処理が完了する。
【００９５】
また、入金されるべき有価媒体が収納されている収納カセット１３２、１３４、１３６がカセット装着部１２２、１２４、１２６に装着されると、収納カセット１３２、１３４、１３６に設けられたＩＣタグ等の記憶媒体に記憶されている情報がリーダライタ１２２ｂ、１２４ｂ、１２６ｂにより読みとられる。そして、取得部１８３は、投入されるべき有価媒体の金額に関する金額情報として、リーダライタ１２２ｂ、１２４ｂ、１２６ｂにより記憶媒体から読みとられた金額情報（具体的には、収納カセット１３２、１３４、１３６に収納されている有価媒体の種類毎の枚数や合計金額等）を取得する。
【００９６】
収納カセット１３２、１３４、１３６により有価媒体を有価媒体処理装置１０１に入金する場合には、ある操作者が収納カセット１３２、１３４、１３６をカセット装着部１２２、１２４、１２６に装着し、収納カセット１３２、１３４、１３６に設けられたＩＣタグ等の記憶媒体に記憶されている情報がリーダライタ１２２ｂ、１２４ｂ、１２６ｂにより読みとられると、制御部１５０においてこの操作者の取引に係る占有状態開始指令が受け付けられ、当該操作者の取引に係る占有状態が開始される。また、カセット装着部１２２、１２４、１２６に装着された収納カセット１３２、１３４、１３６から有価媒体が全て繰り出され、この繰り出された有価媒体が他の収納カセット１３２、１３４、１３６に送られた後、この操作者の取引に係る占有状態が続いているときに操作表示部１５２において入金完了ボタンが押下されると、制御部１５０においてこの操作者の取引に係る占有状態終了指令が受け付けられ、当該操作者の取引に係る占有状態が終了する。
【００９７】
また、収納カセット１３２、１３４、１３６により有価媒体を有価媒体処理装置１０１に入金する場合にも、制御部１５０は、第１の取引において入金されるべき有価媒体の金額情報および第１の取引に係る占有状態開始指令を受け付けた後、第１の取引に係る占有状態終了指令を受け付けることなく第２の取引に係る占有状態開始指令を受け付けると、第１の取引において入金されるべき有価媒体の金額情報（具体的には、取得部１８３により取得された金額情報）と、実際に有価媒体処理装置１に入金された有価媒体の金額情報（具体的には、判定部１８４により判定された金額情報）とが所定の条件を満たしたときに、第１の取引に係る占有状態を強制的に終了する。このことにより、第１の取引に係る占有状態が強制的に終了した後では第２の取引に係る入金された有価媒体が第１の取引の追加入金として取り扱われることはない。よって予め決められている許容範囲を超えた違算が発生することを防止することができる。一方、第１の取引に係る占有状態が終了しない場合には、カセット装着部１２２、１２４、１２６に装着された収納カセット１３２、１３４、１３６がロック機構１２２ａ、１２４ａ、１２６ａによってロックされることにより、当該収納カセット１３２、１３４、１３６をカセット装着部１２２、１２４、１２６から取り外すことができなくなるようにしてもよい。
【００９８】
なお、本発明に係る有価媒体処理装置や有価媒体処理方法は、上述したような態様に限定されることはなく、様々な変更を加えることができる。
【００９９】
例えば、図９に示すように、上述した有価媒体処理装置１、１０１と、当該有価媒体処理装置１０１とは別に設けられ、この有価媒体処理装置１、１０１の管理を行う上位サーバ等の管理装置２００とから、本発明に係る有価媒体処理システムが構成されるようになっていてもよい。このような有価媒体処理システムでは、有価媒体処理装置１、１０１および管理装置２００は無線または有線のＬＡＮ２１０により互いに通信可能に接続されるようになる。また、管理装置２００には制御部２０２、取得部２０４および判定部２０６がそれぞれ設けられており、制御部２０２から有価媒体処理装置１、１０１にＬＡＮ２１０を介して指令信号が送られることにより有価媒体処理装置１、１０１の各構成部材が制御されるようになっている。また、取得部２０４は、有価媒体処理装置１、１０１に投入されるべき有価媒体の金額に関する金額情報を取得するようになっている。また、判定部２０６は、有価媒体処理装置１の識別部１６または識別部５８や有価媒体処理装置１０１の入金識別部１１３または識別部１１６による有価媒体の識別結果に基づいて、有価媒体処理装置１、１０１に投入された有価媒体の金額情報を判定するようになっている。ここで、管理装置２００の制御部２０２は、有価媒体処理装置１の本体制御部８０や有価媒体処理装置１０１の制御部１５０と略同一の機能を果たすようになっている。具体的には、管理装置２００の制御部２０２は、第１の取引に係る占有状態開始指令を受け付けた後、第１の取引に係る占有状態終了指令を受け付けることなく第２の取引に係る占有状態開始指令を受け付けると、取得部２０４により取得した金額情報と、判定部２０６により判定した金額情報とが所定の条件を満たすのであれば、第１の取引に係る占有状態を強制的に終了することができるようになっている。なお、図９に示すような有価媒体処理システムにおいて、取得部２０４および判定部２０６のいずれか一方または両方が設けられておらず、有価媒体処理装置１、１０１に設けられた取得部８３、１８３や判定部８４、１８４が取得部２０４や判定部２０６と同様の機能を果たすようになっていてもよい。また、有価媒体処理装置１、１０１に、ＬＡＮ２１０を介して上位サーバ等の管理装置２００から当該有価媒体処理装置１、１０１にとって必要な様々な金額情報（例えば、ホテル等に設置される精算機の内部に有価媒体処理装置１０１が搭載される場合には宿泊客の宿泊代等に係る情報、また、病院等に設置される診療代支払機の内部に有価媒体処理装置１０１が搭載される場合には患者の診療代等に係る情報）が送信されるようになっていてもよい。
【０１００】
また、上述した有価媒体処理装置１、１０１において、第１の取引において入金されるべき有価媒体の金額情報および第１の取引に係る占有状態開始指令を受け付けた後、第１の取引に係る占有状態終了指令を受け付けることなく第２の取引に係る占有状態開始指令を受け付けたときに、第１の取引において入金されるべき有価媒体の金額情報（具体的には、取得部８３、１８３により取得された金額情報）と、実際に有価媒体処理装置１、１０１に入金された有価媒体の金額情報（具体的には、判定部８４、１８４により判定された金額情報）とが所定の条件を満たし、第１の取引に係る占有状態が強制的に終了した場合に、第１の取引に係る占有状態が強制的に終了したという履歴情報が記憶部９４、１５４に記憶されるようになっていてもよい。この場合には、第１の操作者による第１の取引における有価媒体の入金が第１の操作者以外の操作者（例えば、第２の操作者）により確定された場合でも、第１の操作者は、記憶部９４、１５４に記憶されている上記の履歴情報を例えば操作表示部８６、８８、１５２に表示させることにより、第１の操作者による第１の取引における有価媒体の入金が確定されたということを確認できるようになる。
【０１０１】
また、上記の説明では本発明に係る有価媒体処理装置が紙幣、硬貨および商品券等を含む有価媒体を処理する場合について述べたが、このような例に限定されることはない。別の例として、本発明に係る有価媒体処理装置として、例えば、紙幣のみの処理を行う紙幣処理装置や硬貨のみの処理を行う硬貨処理装置、あるいは紙幣および硬貨のみの処理を行う貨幣処理装置が用いられてもよい。
【符号の説明】
【０１０２】
１        有価媒体処理装置
１ａ      筐体
１ｂ、１ｃ  扉
１０      硬貨入金装置
１２      投入部
１２ａ    シャッタ
１４      搬送部
１６      識別部
１８      振分機構
２２      一時保留用シュート
２４      リジェクト用シュート
２６      一時保留部
２８      リジェクト部
３０      硬貨返却箱
３０ａ    把持部分
３１      ロック部
３２      収納用シュート
４０      硬貨収納カセット
５０      紙幣入金装置
５２      投入部
５２ａ    シャッタ
５４      繰出機構
５６      搬送部
５８      識別部
６０      分岐部
６２      リジェクト部
６４      一時保留部
６５      扉ロック部
７０      紙幣収納カセット
８０      本体制御部
８１      硬貨制御部
８２      紙幣制御部
８３      取得部
８４      判定部
８５      印字部
８６、８８  操作表示部
９０      読取部
９２      記録媒体
９２ａ    記憶部
９４      記憶部
９６      記憶媒体
９７      プログラム
９８      通信部
１０１    有価媒体処理装置
１１２    入金部
１１２ａ  繰出機構
１１３    入金識別部
１１４    搬送部
１１６    識別部
１１８    払出部
１２０    リジェクト部
１２２、１２４、１２６  カセット装着部
１２２ａ、１２４ａ、１２６ａ  ロック機構
１２２ｂ、１２４ｂ、１２６ｂ  リーダライタ
１３２、１３４、１３６  収納カセット
１３２ａ、１３４ａ、１３６ａ  繰出機構
１５０    制御部
１５２    操作表示部
１５３    リーダライタ
１５４    記憶部
１５６    通信部
１５８    記憶媒体
１５９    プログラム
１８３    取得部
１８４    判定部
１９０    記録媒体
２００    管理装置
２０２    制御部
２０４    取得部
２０６    判定部
【図１】
2019101790.tif 000003
【図２】
2019101790.tif 000004
【図３】
2019101790.tif 000005
【図４】
2019101790.tif 000006
【図５】
2019101790.tif 000007
【図６】
2019101790.tif 000008
【図７】
2019101790.tif 000009
【図８】
2019101790.tif 000010
【図９】
2019101790.tif 000011